(57)【要約】【課題】より少ないリソースで実現し、より容易に、またより簡単に入力を選択する。【解決手段】ステップＳ１１において、メニューの項目である入力名であって、使用者によって選択される入力の単位を示す入力名に、入力名に対応付けられている第１の端子であって、画像信号を入力するための第１の端子の名前と、入力名に対応付けられている第２の端子であって、音声信号を入力するための第２の端子の名前とを対応付けて表示させるように、メニューの表示が制御される。ステップＳ１３において、メニューの項目としての入力名が使用者によってメニューから選択された場合、第１の端子から入力されている画像信号と、第２の端子から入力されている音声信号とが選択される。本発明は、AVアンプリファイアに適用できる。【選択図】図２６
2008072338.tif 000002
【特許請求の範囲】
【請求項１】
画像信号および音声信号を処理するAV（Audio Visual）アンプリファイアにおいて、
メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示を制御する表示制御手段と、
前記メニューの項目としての前記入力名が前記使用者によって前記メニューから選択された場合、前記第１の端子から入力されている前記画像信号と、前記第２の端子から入力されている前記音声信号とを選択する選択手段と
を備えるAVアンプリファイア。
【請求項２】
前記表示制御手段は、前記入力名に対応付けられている所定のアイコンを前記入力名に対応付けて表示させるように、前記メニューの表示を制御する
請求項１に記載のAVアンプリファイア。
【請求項３】
前記画像信号を入力するための前記第１の端子と前記音声信号を入力するための前記第２の端子との前記入力名への対応付けを設定する設定手段をさらに備える
請求項１に記載のAVアンプリファイア。
【請求項４】
前記設定手段は、前記入力名への前記アイコンの対応付けをさらに設定する
請求項３に記載のAVアンプリファイア。
【請求項５】
前記入力名を編集する編集手段をさらに備える
請求項１に記載のAVアンプリファイア。
【請求項６】
画像信号および音声信号を処理するAVアンプリファイアの、処理の対象となる前記画像信号および前記音声信号を選択する選択方法において、
メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示を制御し、
前記メニューの項目としての前記入力名が前記使用者によって前記メニューから選択された場合、前記第１の端子から入力されている前記画像信号と、前記第２の端子から入力されている前記音声信号とを選択する
ステップを含む選択方法。
【請求項７】
画像信号および音声信号を処理するAVアンプリファイアのコンピュータに、処理の対象となる前記画像信号および前記音声信号の選択を制御する選択制御処理を行わせるプログラムにおいて、
メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示を制御し、
前記メニューの項目としての前記入力名が前記使用者によって前記メニューから選択された場合、前記第１の端子から入力されている前記画像信号と、前記第２の端子から入力されている前記音声信号とを選択するように、前記画像信号および前記音声信号の選択を制御する
ステップを含むプログラム。
【請求項８】
画像信号および音声信号を処理するAVアンプリファイアの、処理の対象となる前記画像信号および前記音声信号の選択を制御する選択制御処理用のプログラムであって、
メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示を制御し、
前記メニューの項目としての前記入力名が前記使用者によって前記メニューから選択された場合、前記第１の端子から入力されている前記画像信号と、前記第２の端子から入力されている前記音声信号とを選択するように、前記画像信号および前記音声信号の選択を制御する
ステップを含むことを特徴とするコンピュータが読み取り可能なプログラムが記録されている記録媒体。
【発明の詳細な説明】
【技術分野】
【０００１】
本発明はAVアンプリファイア、選択方法、プログラム、および記録媒体に関し、特に、メニューを表示できるようにしたAVアンプリファイア、選択方法、プログラム、および記録媒体に関する。
【背景技術】
【０００２】
従来のAVアンプリファイアにおいて、図１で示されるように、AVアンプリファイア本体に設けられた端子群の中から特定の音声信号を入力する入力端子または画像信号を入力する入力端子を、あらかじめ本体に登録してあるVideo、DVD、TV、CD等の入力識別名に対応付ける機能がある。この機能において、デジタル音声信号の入力の割り当て、コンポーネントビデオ信号の入力の割り当て、またはHDMI（High-Definition Multimedia Interface）による信号の入力の割り当てなどの設定メニューがそれぞれ別個に提供されている。
【０００３】
図１において、デジタルアサイン、コンポーネントビデオアサイン（Component V. Assign）、またはHDMIアサインなどのアサインカテゴリは、デジタル、コンポーネント、またはHDMIなどの、入力端子の対応付けのカテゴリを示す。VIDEO1 COAXまたはVIDEO1 OPTなどのPortは、入力端子を示し、VIDEO1、VIDEO2、またはVIDEO3などのコネクテッドデバイスは、入力端子に接続されるデバイスの入力識別名を示す。
【０００４】
そして、各メニューにおける設定手順は以下の通りである。第１に、メニューが提供する入力端子の中から任意の入力端子が選択され、第２に、その入力端子を対応付けることが可能な入力識別名から任意の入力識別名を選択する。
【０００５】
これにより、入力識別名に、入力端子が対応付けられる。
【０００６】
また、この場合、最終的な入力識別名と入力端子とのアサイン状態を一覧できるような表示は提供されていない。
【０００７】
従来は、メニュー画面に、画面の横方向にそれぞれのカテゴリを表すアイコンであるカテゴリアイコンが配列して表示され、また、カテゴリアイコンの配列方向と直交する縦方向に、ユーザにより選択されているカテゴリに属するコンテンツを表すアイコンであるコンテンツアイコンが配列して表示されるようにしているものもある（例えば、特許文献１参照）。
【０００８】
【特許文献１】特開２００６−８６６２１号公報
【発明の開示】
【発明が解決しようとする課題】
【０００９】
通常、使用者は入力識別名の選択（セレクタ機能）を使うことがほとんどであるが、以上に挙げたような従来の技術では、以下のような不都合な点がある。
【００１０】
第１に、「端子と入力識別名との対応付け」という同じ動作にもかかわらず、アサインカテゴリ毎に、それぞれ提供されるメニューの項目の名称やその動作をさせる項目のメニュー階層内での位置が異なるため、設定のためのメニュー数が増え、製品の仕様が複雑化している。使用者にとってわかりにくく、面倒な操作が必要になる。
【００１１】
第２に、このようにメニューが分散されていることによって、１度対応付けした特定の入力識別名の対応付けの状態を確認したい場合、映像と音声の２系統の入力端子の情報をそれぞれ異なるメニューから確認しなければならなくなる。すなわち、確認には、面倒な操作が必要になる。
【００１２】
第３に、この対応付けを確認する場合、アサインカテゴリのメニュー毎に、特定の「端子」に対応付けられている「入力識別名」が表示されるので、通常、使用者が特定の「入力識別名」に対応付けられた「端子」を確認しようとする場合は、使用者は、アサインカテゴリのメニューを順に表示させて、目的の「入力識別名」に対する項目が見つかるまですべての端子と入力との対応付けを確認しなければならなくなる。
【００１３】
第４に、従来、使用者にアサインの設定をさせていたのは、音声信号の入力は、デジタル信号を入力する入力端子のみで、画像信号の入力は、コンポーネント信号の入力端子やHDMI端子など特定の端子に限られているので、その他のアナログの音声信号を入力するための入力端子や、S端子、コンポジット信号を入力するための入力端子などがアサインされているかどうかについては、使用者は上述したメニューとは別のメニューや表示などから確認しなければない。これは操作が複雑になるだけでなく、AVアンプリファイア本体の表示のデバイスの仕様も同時に複雑になり、ハードウェアおよびソフトウェアともに無駄なリソースが増えてしまう。
【００１４】
本発明は、このような状況に鑑みてなされたものであり、より少ないリソースで実現することができるとともに、より容易に、またより簡単に入力を選択することができるようにするものである。
【課題を解決するための手段】
【００１５】
本発明の一側面のAVアンプリファイアは、画像信号および音声信号を処理するAVアンプリファイアであって、メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示を制御する表示制御手段と、前記メニューの項目としての前記入力名が前記使用者によって前記メニューから選択された場合、前記第１の端子から入力されている前記画像信号と、前記第２の端子から入力されている前記音声信号とを選択する選択手段とを備える。
【００１６】
前記表示制御手段には、前記入力名に対応付けられている所定のアイコンを前記入力名に対応付けて表示させるように、前記メニューの表示を制御させることができる。
【００１７】
前記画像信号を入力するための前記第１の端子と前記音声信号を入力するための前記第２の端子との前記入力名への対応付けを設定する設定手段をさらに設けることができる。
【００１８】
前記設定手段には、前記入力名への前記アイコンの対応付けをさらに設定させることができる。
【００１９】
前記入力名を編集する編集手段をさらに設けることができる。
【００２０】
本発明の一側面の選択方法は、画像信号および音声信号を処理するAVアンプリファイアの、処理の対象となる前記画像信号および前記音声信号を選択する選択方法であって、メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示を制御し、前記メニューの項目としての前記入力名が前記使用者によって前記メニューから選択された場合、前記第１の端子から入力されている前記画像信号と、前記第２の端子から入力されている前記音声信号とを選択するステップを含む。
【００２１】
本発明の一側面のプログラムは、画像信号および音声信号を処理するAVアンプリファイアのコンピュータに、処理の対象となる前記画像信号および前記音声信号の選択を制御する選択制御処理を行わせるプログラムであって、メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示を制御し、前記メニューの項目としての前記入力名が前記使用者によって前記メニューから選択された場合、前記第１の端子から入力されている前記画像信号と、前記第２の端子から入力されている前記音声信号とを選択するように、前記画像信号および前記音声信号の選択を制御するステップを含む。
【００２２】
本発明の一側面の記録媒体のプログラムは、画像信号および音声信号を処理するAVアンプリファイアの、処理の対象となる前記画像信号および前記音声信号の選択を制御する選択制御処理用のプログラムであって、メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示を制御し、前記メニューの項目としての前記入力名が前記使用者によって前記メニューから選択された場合、前記第１の端子から入力されている前記画像信号と、前記第２の端子から入力されている前記音声信号とを選択するように、前記画像信号および前記音声信号の選択を制御するステップを含む。
【００２３】
本発明の一側面においては、メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示が制御され、前記メニューの項目としての前記入力名が前記使用者によって前記メニューから選択された場合、前記第１の端子から入力されている前記画像信号と、前記第２の端子から入力されている前記音声信号とを選択するように、前記画像信号および前記音声信号の選択が制御される。
【発明の効果】
【００２４】
以上のように、本発明の一側面によれば、メニューから操作することができる。
【００２５】
また、本発明の一側面によれば、より少ないリソースで実現することができるとともに、より容易に、またより簡単に入力を選択することができる。
【発明を実施するための最良の形態】
【００２６】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２７】
本発明の一側面のAVアンプリファイアは、画像信号および音声信号を処理するAVアンプリファイアであって、メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示を制御する表示制御手段（例えば、図４の表示制御部１０１）と、前記メニューの項目としての前記入力名が前記使用者によって前記メニューから選択された場合、前記第１の端子から入力されている前記画像信号と、前記第２の端子から入力されている前記音声信号とを選択する選択手段（例えば、図３のセレクタ２２、セレクタ２４、セレクタ２６、セレクタ３０、セレクタ３２、またはセレクタ３４）とを備える。
【００２８】
前記画像信号を入力するための前記第１の端子と前記音声信号を入力するための前記第２の端子との前記入力名への対応付けを設定する設定手段（例えば、図４の対応付け設定部１０３）をさらに設けることができる。
【００２９】
前記入力名を編集する編集手段（例えば、図４の入力名編集部１０４）をさらに設けることができる。
【００３０】
本発明の一側面の選択方法およびプログラムは、メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示を制御し（例えば、図２６のステップＳ１１）、前記メニューの項目としての前記入力名が前記使用者によって前記メニューから選択された場合、前記第１の端子から入力されている前記画像信号と、前記第２の端子から入力されている前記音声信号とを選択する（例えば、図２６のステップＳ１３）ステップを含む。
【００３１】
図２は、本発明の一実施の形態のAVアンプリファイア１１の構成の一例を示すブロック図である。AVアンプリファイア１１は、入力端子２１−１乃至入力端子２１−ｎ（ｎは、正の整数）、セレクタ２２、デジタル信号処理部２３、セレクタ２４、入力端子２５−１乃至入力端子２５−ｍ（ｍは、正の整数）、セレクタ２６、チューナ２７、画像信号処理ブロック２８、入力端子２９−１乃至入力端子２９−ｐ（ｐは、正の整数）、セレクタ３０、デジタル信号処理部３１、セレクタ３２、入力端子３３−１乃至入力端子３３−ｑ（ｑは、正の整数）、セレクタ３４、アナログブロック３５、メインマイクロコンピュータ３６、GUI表示制御マイクロコンピュータ３７、操作入力部３８、表示部３９、媒体４０、UART（Universal Asynchronous Receiver/Transmitter）４１、外部メモリブロック４２、GUIブロック４３、およびアナログビデオアウトブロック４４を備える。
【００３２】
入力端子２１−１乃至入力端子２１−ｎは、それぞれ、HDMI（High-Definition Multimedia Interface）などのデジタル信号である画像信号を入力するための入力端子である。入力端子２１−１乃至入力端子２１−ｎのそれぞれから入力された画像信号は、セレクタ２２に供給される。
【００３３】
セレクタ２２は、メインマイクロコンピュータ３６の制御の基に、入力端子２１−１乃至入力端子２１−ｎのそれぞれから入力された画像信号のうち、１つの画像信号を選択する。セレクタ２２において選択された画像信号は、デジタル信号処理部２３に供給される。
【００３４】
デジタル信号処理部２３は、入力端子２１−１乃至入力端子２１−ｎのいずれかおよびセレクタ２２を介して供給されたデジタル信号である画像信号に各種の信号処理を適用する。デジタル信号処理部２３は、各種の信号処理を適用した結果得られたアナログ信号である画像信号をセレクタ２４に供給する。
【００３５】
デジタル信号処理部２３は、デコーダDSP（Digital Signal Processor）５１およびDAC（Digital to Analog Converter）５２から構成される。
【００３６】
デコーダDSP５１は、符号化されている画像信号を復号する。デコーダDSP５１は、復号の結果得られた画像信号をDAC５２に供給する。DAC５２は、デジタルアナログ変換により、復号されたデジタル信号である画像信号を、アナログ信号である画像信号に変換する。DAC５２は、デジタルアナログ変換により得られた、アナログ信号である画像信号をセレクタ２４に供給する。
【００３７】
入力端子２５−１乃至入力端子２５−ｍは、それぞれ、コンポジット信号を入力するためのピンジャック、コンポーネント信号を入力するためのピンジャック、RGB信号を入力するためのピンジャック、またはS端子などのアナログ信号である画像信号を入力するための入力端子である。入力端子２５−１乃至入力端子２５−ｍのそれぞれから入力された画像信号は、セレクタ２６に供給される。
【００３８】
セレクタ２６は、メインマイクロコンピュータ３６の制御の基に、入力端子２５−１乃至入力端子２５−ｍのそれぞれから入力された画像信号のうち、１つの画像信号を選択する。セレクタ２６において選択された画像信号は、セレクタ２４に供給される。
【００３９】
チューナ２７は、メインマイクロコンピュータ３６の制御の基に、放送されている番組の画像の画像信号をセレクタ２４に供給するとともに、番組の音声の音声信号をセレクタ３２に供給する。
【００４０】
セレクタ２４は、メインマイクロコンピュータ３６の制御の基に、デジタル信号処理部２３から供給された画像信号、セレクタ２６において選択された画像信号、またはチューナ２７から供給された画像信号のうち、１つの画像信号を選択する。セレクタ２４において選択された画像信号は、画像信号処理ブロック２８に供給される。
【００４１】
画像信号処理ブロック２８は、メインマイクロコンピュータ３６の制御の基に、供給された画像信号に各種の信号処理を適用する。また、画像信号処理ブロック２８は、信号処理を適用した結果得られた画像信号をモニタに供給することにより、モニタに各種の画像を表示させる。
【００４２】
入力端子２９−１乃至入力端子２９−ｐは、それぞれ、ピンジャック、または光ケーブル若しくは同軸ケーブルを接続するためのレセプタクルなどのデジタル信号である音声信号を入力するための入力端子である。入力端子２９−１乃至入力端子２９−ｐのそれぞれから入力された音声信号は、セレクタ３０に供給される。
【００４３】
セレクタ３０は、メインマイクロコンピュータ３６の制御の基に、入力端子２９−１乃至入力端子２９−ｐのそれぞれから入力された音声信号のうち、１つの音声信号を選択する。セレクタ３０において選択された音声信号は、デジタル信号処理部３１に供給される。
【００４４】
デジタル信号処理部３１は、入力端子２９−１乃至入力端子２９−ｐのいずれかおよびセレクタ３０を介して供給されたデジタル信号である音声信号に各種の信号処理を適用する。デジタル信号処理部３１は、各種の信号処理を適用した結果得られたアナログ信号である音声信号をセレクタ３２に供給する。
【００４５】
デジタル信号処理部３１は、DIR（Digital Interface Reciever）５３、デコーダDSP５４、およびDAC５５から構成される。
【００４６】
DIR５３は、光信号である音声信号を、電気信号である音声信号に変換する。DIR５３は、変換により得られた電気信号である音声信号をデコーダDSP５４に供給する。
【００４７】
デコーダDSP５４は、符号化されている音声信号を復号する。デコーダDSP５４は、復号の結果得られた音声信号をDAC５５に供給する。DAC５５は、デジタルアナログ変換により、復号されたデジタル信号である音声信号を、アナログ信号である音声信号に変換する。DAC５５は、デジタルアナログ変換により得られた、アナログ信号である音声信号をセレクタ３２に供給する。
【００４８】
入力端子３３−１乃至入力端子３３−ｑは、それぞれ、ピンジャックまたはフォノジャックなどのアナログ信号である音声信号を入力するための入力端子である。入力端子３３−１乃至入力端子３３−ｑのそれぞれから入力された音声信号は、セレクタ３４に供給される。
【００４９】
セレクタ３４は、メインマイクロコンピュータ３６の制御の基に、入力端子３３−１乃至入力端子３３−ｑのそれぞれから入力された音声信号のうち、１つの音声信号またはいわゆるステレオ音声信号などの一組の音声信号を選択する。セレクタ３４において選択された音声信号は、セレクタ３２に供給される。
【００５０】
セレクタ３２は、メインマイクロコンピュータ３６の制御の基に、デジタル信号処理部３１から供給された音声信号、セレクタ３４において選択された音声信号、またはチューナ２７から供給された音声信号のうち、１つの音声信号またはステレオ音声信号などの一組の音声信号を選択する。セレクタ３２において選択された音声信号は、アナログブロック３５に供給される。
【００５１】
アナログブロック３５は、メインマイクロコンピュータ３６の制御の基に、供給された音声信号に各種の信号処理を適用する。また、アナログブロック３５は、信号処理を適用した結果得られた音声信号をスピーカに供給することにより、スピーカに各種の音声を出力させる。
【００５２】
アナログブロック３５は、ボリウム５６、増幅部５７、およびリレー５８から構成される。ボリウム５６は、アナログブロック３５に供給された音声信号のレベルを調整する。増幅部５７は、ボリウム５６によりレベルが調整された音声信号を増幅する。増幅部５７によって増幅された音声信号は、リレー５８を介してスピーカに供給される。リレー５８がオンしている場合、スピーカは増幅部５７からの音声信号によって音声を出力するように駆動され、リレー５８がオフしている場合、スピーカは駆動されず、スピーカから音声は出力されない。
【００５３】
メインマイクロコンピュータ３６は、組込型のマイクロコンピュータなどからなり、AVアンプリファイア１１の画像信号および音声信号の処理を実行するか、その処理の実行を制御する。
【００５４】
メインマイクロコンピュータ３６には、内蔵ROM（Read Only Memory）６１および内蔵RAM（Random Access Memory）６２が設けられている。内蔵ROM６１には、メインマイクロコンピュータ３６により実行されるプログラムおよびその実行に必要なデータが予め記憶されている。内蔵RAM６２は、メインマイクロコンピュータ３６が実行するプログラム、またはそのプログラムの実行に必要なデータを一時的に記憶する。
【００５５】
GUI表示制御マイクロコンピュータ３７は、組込型のマイクロコンピュータなどからなり、GUIの表示を制御する。
【００５６】
GUI表示制御マイクロコンピュータ３７には、内蔵ROM６３および内蔵RAM６４が設けられている。内蔵ROM６３には、GUI表示制御マイクロコンピュータ３７により実行されるプログラムおよびその実行に必要なデータが予め記憶されている。内蔵RAM６４は、GUI表示制御マイクロコンピュータ３７が実行するプログラム、またはそのプログラムの実行に必要なデータを一時的に記憶する。
【００５７】
操作入力部３８は、使用者の操作に応じた信号をメインマイクロコンピュータ３６またはUART４１に供給する。
【００５８】
操作入力部３８は、キー６５、エンコーダ６６、およびリモートコントローラ６７から構成される。キー６５は、使用者により押圧されて、押圧されているか否かに応じた信号を出力する。エンコーダ６６は、使用者により回動または回転させられて、回動または回転に応じた信号を出力する。
【００５９】
リモートコントローラ６７は、AVアンプリファイア１１の本体から分離された状態で使用者により操作されて、その操作に応じた信号を出力する。
【００６０】
表示部３９は、AVアンプリファイア１１の状態を示す画像または文字を表示する。表示部３９は、FL（Fluorescent Lamp）管６８およびGUI表示部６９からなる。FL管６８は、予め決められた画像または文字などを表示するか、またはマトリックスにより画像または文字などを表示する。GUI表示部６９は、LCD（Liquid Crystal Display）または有機EL（Electro Luminescence）ディスプレイなどからなり、アイコンなどの画像や文字などを表示する。
【００６１】
なお、GUIの画像は、GUI表示部６９に表示するようにしてもよく、また、AVアンプリファイア１１に接続されているモニタに表示するようにしてもよい。
【００６２】
媒体４０は、着脱自在に装着できる、メモリカードまたはいわゆるUSB（Universal Serial Bus）メモリなどであり、記憶しているデータまたはプログラムを電気的に書き換えまたは消去することができるEEPROM７０などの半導体メモリなどを内蔵し、各種のデータまたはプログラムなどを記憶する。
【００６３】
なお、媒体４０は、ハードディスクまたは光ディスクなどから構成されるようにしてもよい。媒体４０が光ディスクなどから構成される場合、媒体４０にデータまたはプログラムを書き込み、または媒体４０からデータまたはプログラムを読み出すためのドライブが設けられる。
【００６４】
UART４１は、操作入力部３８とのインタフェースであるメインシステムインタフェース７１を備えたシリアルデータ通信用コントローラであり、操作入力部３８から供給されたシリアルの信号を、パラレルの信号に変換する。UART４１は、変換の結果得られたパラレルの信号をGUI表示制御マイクロコンピュータ３７に供給する。
【００６５】
外部メモリブロック４２は、SRAM（Static Random Access Memory）７２などの半導体メモリからなり、GUI表示制御マイクロコンピュータ３７により実行されるプログラムまたはその実行に必要な各種のデータを記憶する。
【００６６】
GUIブロック４３は、半導体メモリからなり、GUI表示制御マイクロコンピュータ３７により使用される、GUIの画像の表示に必要な各種のデータおよびプログラムを記憶する。GUIブロック４３は、フラッシュROM７３およびフラッシュROM７４からなる。フラッシュROM７３は、GUIの画像の表示に必要な、アイコン、ウィンドウ、文字などのビットマップデータ８１を記憶している。フラッシュROM７４は、GUIの画像の表示に必要なプログラムであるGUIドライバ８２を記憶している。
【００６７】
アナログビデオアウトブロック４４は、GUI表示制御マイクロコンピュータ３７の制御の基に、GUIの画像を表示させるための信号を生成する。アナログビデオアウトブロック４４に設けられているビデオDAC７５は、アナログビデオアウトブロック４４において生成されたデジタル信号である画像信号を、アナログ信号の画像信号に変換する。
【００６８】
画像信号処理ブロック２８は、入力端子２１−１乃至入力端子２１−ｎまたは入力端子２５−１乃至入力端子２５−ｍのいずれかから入力された画像信号と、アナログビデオアウトブロック４４から供給された、GUIの画像を表示させるための画像信号とを重畳させて、入力端子２１−１乃至入力端子２１−ｎまたは入力端子２５−１乃至入力端子２５−ｍのいずれかから入力された画像信号に応じた画像と共に、GUIの画像をモニタに表示させる。
【００６９】
図３は、リモートコントローラ６７の外観を示す図である。リモートコントローラ６７には、GUIのメニューの項目（アイテム）のうち、フォーカスされている項目の上の項目にフォーカスさせることを指示するための、いわゆる上向きの矢印のキー９１と、GUIのメニューの項目のうち、フォーカスされている項目の下の項目にフォーカスさせることを指示するための、いわゆる下向きの矢印のキー９２と、GUIのメニューの項目のうち、フォーカスされている項目の左の項目にフォーカスさせることを指示するための、いわゆる左向きの矢印のキー９３と、GUIのメニューの項目のうち、フォーカスされている項目の右の項目にフォーカスさせることを指示するための、いわゆる右向きの矢印のキー９４とが設けられている。また、リモートコントローラ６７には、いわゆるセレクト（Select）キーであるキー９５が設けられている。例えば、セレクトキーであるキー９５は、上下に並ぶように配置されているキー９１とキー９２との間であって、左右に並ぶように配置されているキー９３とキー９４との間に配置される。
【００７０】
さらに、リモートコントローラ６７には、オプションのメニューの表示を指示するためのキー９６が設けられている。さらにまた、リモートコントローラ６７には、いわゆるリターン（Return）キーであるキー９７が設けられている。
【００７１】
ここで、項目がフォーカスされるとは、項目が選択のために注目されていることをいう。例えば、フォーカスされた項目は、GUIにおいて、反転表示されるか色が変わるなど強調表示される。以下、フォーカスされている項目を注目項目とも称する。
【００７２】
図４は、プログラムをそれぞれ実行するメインマイクロコンピュータ３６およびGUI表示制御マイクロコンピュータ３７により実現される機能の構成を示すブロック図である。
【００７３】
メインマイクロコンピュータ３６およびGUI表示制御マイクロコンピュータ３７がそれぞれプログラムを実行することにより、表示制御部１０１、選択制御部１０２、対応付け設定部１０３、および入力名編集部１０４が実現される。
【００７４】
表示制御部１０１は、プログラムを実行するGUI表示制御マイクロコンピュータ３７により実現され、GUIの画像の表示を制御する。表示制御部１０１は、GUIの画像として、AVアンプリファイア１１に各種の処理を実行させるためのメニューの表示を制御する。
【００７５】
AVアンプリファイア１１において、GUIの画像としてのメニューを構成する項目は、階層化されている。所定の階層の項目は、その階層の１つ下の階層の項目のうち、所定の項目に関係付けられているか、または、その階層の１つ下の階層のいずれの項目にも関係付けられていない。１つ下の階層の項目と関係付けられている項目は、原則として、その１つ下の階層の項目の選択を指示するための項目とされている。１つ下の階層の項目のいずれにも関係付けられていない項目は、原則として、所定の処理の実行を指示する項目とされている。
【００７６】
以下、所定の階層の項目からみて、その項目に関係付けられている、１つ下の階層の項目を子供と称する。逆に、その子供である項目からみて、子供である項目の階層の１つ上の階層の項目のうち、子供である項目に関係付けられている項目を親と称する。
【００７７】
例えば、表示制御部１０１は、メニューの項目である入力名であって、使用者によって選択される入力の単位を示す入力名に、入力名に対応付けられている入力端子２１−１乃至入力端子２１−ｎまたは入力端子２５−１乃至入力端子２５−ｍのいずれかの名前と、入力名に対応付けられている入力端子２９−１乃至入力端子２９−ｐまたは入力端子３３−１乃至入力端子３３−ｑのいずれかの名前とを対応付けて表示させるように、モニタまたはGUI表示部６９へのメニューの表示を制御する。
【００７８】
選択制御部１０２は、プログラムを実行するメインマイクロコンピュータ３６により実現され、入力信号の選択を制御する。例えば、選択制御部１０２は、メニューの項目としての入力名が使用者によってメニューから選択された場合、入力名に対応付けられている入力端子２１−１乃至入力端子２１−ｎまたは入力端子２５−１乃至入力端子２５−ｍのいずれかから入力されている画像信号と、入力名に対応付けられている入力端子２９−１乃至入力端子２９−ｐまたは入力端子３３−１乃至入力端子３３−ｑのいずれかから入力されている音声信号とを選択するように、セレクタ２２、セレクタ２４、セレクタ２６、セレクタ３０、セレクタ３２、およびセレクタ３４を制御する。
【００７９】
対応付け設定部１０３は、プログラムを実行するGUI表示制御マイクロコンピュータ３７により実現され、入力端子２１−１乃至入力端子２１−ｎまたは入力端子２５−１乃至入力端子２５−ｍのいずれかと入力端子２９−１乃至入力端子２９−ｐまたは入力端子３３−１乃至入力端子３３−ｑのいずれかとの入力名への対応付けを設定する。対応付け設定部１０３は、この対応付けを示すデータを、内蔵ROM６３またはフラッシュROM７４などに記憶させることにより、対応付けを設定する。
【００８０】
入力名編集部１０４は、プログラムを実行するGUI表示制御マイクロコンピュータ３７により実現され、使用者の操作に応じて、入力名を編集する。
【００８１】
なお、１つのプログラムを実行するメインマイクロコンピュータ３６が、表示制御部１０１、選択制御部１０２、対応付け設定部１０３、および入力名編集部１０４を実現するようにしてもよい。
【００８２】
次に、表示制御部１０１により表示が制御されるGUIの画像並びにGUIへの使用者の操作に応じた選択制御部１０２、対応付け設定部１０３、および入力名編集部１０４の処理について説明する。
【００８３】
入力端子２１−１乃至入力端子２１−ｎまたは入力端子２５−１乃至入力端子２５−ｍのいずれかと入力端子２９−１乃至入力端子２９−ｐまたは入力端子３３−１乃至入力端子３３−ｑのいずれかとの入力名への対応付けにおいては、アナログ信号である音声信号を入力するための入力端子の対応付けと、コンポジット信号である画像信号を入力するための入力端子およびS端子である入力端子も含め、入力端子の種類に関わらず、すべての入力端子と入力名との対応付けが１つのメニューで提供される。
【００８４】
ここで、入力端子２１−１乃至入力端子２１−ｎまたは入力端子２５−１乃至入力端子２５−ｍのいずれかと入力端子２９−１乃至入力端子２９−ｐまたは入力端子３３−１乃至入力端子３３−ｑのいずれかとの入力名への対応付けのためのGUIの画面の構成について説明する。
【００８５】
対応付けのためのGUIの画面は、Input選択画面、InputAssign画面、およびNameInput画面の３つの画面から構成される。
【００８６】
すなわち、第１に、GUIの画面には、Input選択画面が含まれる。Input選択画面は、使用者により、入力名のリストから任意の入力名が選択され、選択された入力名に応じて画像信号および音声信号を選択して、選択した画像信号および音声信号による画像および音声に出力を切り替えるための画面である。また、Input選択画面において、InputAssign画面またはNameInput画面に遷移するためのメニューがオプションメニューとして提供される。
【００８７】
第２に、GUIの画面には、InputAssign画面が含まれる。InputAssign画面は、Input選択画面の入力名に、画像信号を入力するための入力端子と音声信号を入力するための入力端子とを対応付けるための画面である。また、InputAssign画面において、Input選択画面で表示される、各入力名のアイコンが選択されるようになされている。
【００８８】
第３に、GUIの画面には、NameInput画面が含まれる。NameInput画面は、各入力名のその名前を変更するための画面である。NameInput画面において、テキスト入力インタフェースとしてソフトウェアキーボードが提供される。NameInput画面における変更は、Input選択画面における入力名の表示に反映される。すなわち、NameInput画面において変更された入力名は、Input選択画面における入力名として表示される。
【００８９】
次に、Input選択画面、InputAssign画面、およびNameInput画面における画面の遷移および入力端子２１−１乃至入力端子２１−ｎまたは入力端子２５−１乃至入力端子２５−ｍのいずれかと入力端子２９−１乃至入力端子２９−ｐまたは入力端子３３−１乃至入力端子３３−ｑのいずれかとの入力名への対応付けの手順の概要について説明する。
【００９０】
Input選択画面において、AVアンプリファイア１１に設定されている入力名の中から、入力端子２１−１乃至入力端子２１−ｎ若しくは入力端子２５−１乃至入力端子２５−ｍまたは入力端子２９−１乃至入力端子２９−ｐ若しくは入力端子３３−１乃至入力端子３３−ｑとの対応付けされる入力名がフォーカスされる。
【００９１】
所望の入力名がフォーカスされている状態で、オプションのメニューが開かれ、オプションのメニューの項目のうち、「Input Assign」などと記載される入力名と入力端子との対応付けのための項目が選択される。これにより、InputAssign画面が表示される。
【００９２】
ここで、Input選択画面においてフォーカスされていた入力名について、対応付けることができる、アイコン、画像信号を入力するための入力端子の名前、画像信号を入力するための入力端子の名前が、それぞれリストとして表示される。
【００９３】
使用者は、アイコン、画像信号を入力するための入力端子の名前、および画像信号を入力するための入力端子の名前のリストから、任意の項目を選択できる。これにより、使用者によって選択された、アイコン、画像信号を入力するための入力端子、および画像信号を入力するための入力端子が、Input選択画面においてフォーカスされていた入力名に対応付けられる。
【００９４】
Input選択画面において、使用者が入力名を判別しやすくするために、デバイスや入力端子の形状を模した図形からなるアイコンが提供される。一般に、AVアンプリファイアの入力識別名には使用者が好む名前を設定できるが、AVアンプリファイア本体の表示管やGUIの画面で表示できる文字数が制限されるので、長い文字列は設定できない。そこで、AVアンプリファイア１１において、入力名にアイコンを付加して、入力名とともにアイコンを表示することにより、入力名が多い場合であっても、使用者が、入力名を識別しやすくするものである。
【００９５】
InputAssign画面において、画像信号を入力するための入力端子を選択するための項目として、コンポーネント信号を入力するための入力端子を選択するための項目に加えて、コンポジット信号を入力するための入力端子またはS端子を選択するための項目が並列に表示される。また、画像信号を入力しないで、音声信号だけを入力する、すなわち、入力を音声のみとするため、画像信号の入力を何も対応付けないという項目として「None」と項目も並列に表示される。
【００９６】
InputAssign画面において、音声信号を入力するための入力端子を選択するための項目として、対応付けが可能とされている、アナログ信号である音声信号を入力するための入力端子を選択するための項目、デジタル信号である音声信号を入力するための入力端子を選択するための項目がすべて並列に表示される。
【００９７】
図５乃至図２５を参照して、表示制御部１０１により表示が制御される、GUIの画像について説明する。
【００９８】
図５は、入力端子２１−１乃至入力端子２１−ｎ、入力端子２５−１乃至入力端子２５−ｍ、入力端子２９−１乃至入力端子２９−ｐ、または入力端子３３−１乃至入力端子３３−ｑのいずれかから入力された画像信号および音声信号を選択する、いわゆる入力切り替えのためのGUIの画像の遷移を説明する図である。入力切り替えのためのGUIの画像は、上述のInput選択画面に対応する。
【００９９】
AVアンプリファイア１１のGUIにおいて、１つの階層の項目は、表示画面において、縦１列に表示される。
【０１００】
メニューを構成する項目のうち、最上位の階層の項目は、例えば、入力切り替えの項目、音楽の選択の項目、FM（Frequency Modulation）ラジオ放送の選局の項目、AM（Amplitude Modulation）ラジオ放送の選局の項目、衛星ラジオ（XMラジオ）放送の選局の項目、および設定の項目などからなる。
【０１０１】
図５の上側の状態に対応する図６で示されるように、四角に右向きの矢印を組み合わせたアイコンと”Input”の文字とからなる、入力切り替えの項目が、画面の左上に表示され、音符のアイコンからなる、音楽の選択の項目が、画面の左側であって、入力切り替えの項目の下に表示され、”FM”の文字がその内側に示されている、ラジオの外観を模した図形からなる、FMラジオ放送の選局の項目が、画面の左側であって、音楽の選択の項目の下に表示される。
【０１０２】
すなわち、最上位の階層の、入力切り替えの項目、音楽の選択の項目、およびFMラジオ放送の選局の項目は、画面の左側に、縦に１列に配置される。
【０１０３】
縦に１列に配置される最上位の階層の項目の右側には、最上位の階層の１つ下の階層の項目が表示される。
【０１０４】
具体的には、最上位の階層の項目のうち、入力切り替えの項目がフォーカスされている場合、最上位の階層の１つ下の階層の項目のうち、入力切り替えの項目の子供が、最上位の階層の項目の右側に表示される。入力切り替えの項目の子供は、使用者によって選択される入力の単位を示す入力名としての項目である。
【０１０５】
この場合、最上位の階層の項目と、その１つ下の階層の項目との間には、縦線が表示される。すなわち、縦に１列に配置される所定の階層の項目と、その右側に縦１列に配置される１つ下の階層の項目との間には、縦線が表示される。縦線の表示によって、使用者は、階層を認識することができる。
【０１０６】
なお、最上位の階層の項目のうち、フォーカスされている項目には、そのアイコンとともにその項目の名前を示す文字が表示され、最上位の階層の項目のうち、フォーカスされていない項目には、そのアイコンだけが表示される。
【０１０７】
また、項目に子供が存在する場合には、その項目に隣接するように、その項目の右側に、右向きの矢印が表示される。このようにすることで、使用者は、それぞれの項目に子供が存在するか否かを知ることができる。
【０１０８】
図６で示されるように、ピンジャックの形状を模した図形とS端子の形状を模した図形とを組み合わせたアイコンおよびその名前を示す”Video1”の文字からなる、”Video1”である項目が、入力切り替えの項目の右側に表示され、ピンジャックの形状を模した図形とS端子の形状を模した図形とを組み合わせたアイコンおよびその名前を示す”Video2”の文字からなる、”Video2”である項目が、”Video1”である項目の下側に表示される。また、ピンジャックの形状を模した図形とS端子の形状を模した図形とを組み合わせたアイコンおよびその名前を示す”Video3”の文字からなる、”Video3”である項目が、”Video2”である項目の下側に表示され、光ディスクの形状を模したアイコンおよびその名前を示す”DVD”の文字からなる、”DVD”である項目が、”Video2”である項目の下側に表示されている。
【０１０９】
すなわち、”Video1”である項目、”Video2”である項目、”Video3”である項目、および”DVD”である項目は、それぞれ入力名であり、最上位の階層の項目の右側に、縦に１列に配置される。
【０１１０】
入力切り替えの項目がフォーカスされている状態で、リモートコントローラ６７の右向きの矢印のキー９４が押圧されるか、またはセレクトキーであるキー９５が押圧されると、入力切り替えの項目が選択されるので、図６で示されるGUIの画像から、図５の上側から２番目の状態に対応する図７で示されるGUIの画像に、表示が切り替えられる。
【０１１１】
図７で示されるように、画面の左側には、最上位の階層の項目のうち、選択された項目である入力切り替えの項目だけが表示され、その右側には、最上位の階層の１つ下の階層の項目のうち、入力切り替えの項目の子供である、使用者によって選択される入力の単位を示す入力名が表示され、入力名のさらに右側には、それぞれの入力名に対応付けられている入力端子の名前のそれぞれが表示される。
【０１１２】
なお、最上位の階層の選択されている項目には、そのアイコンとともにその項目の名前を示す文字が表示される。
【０１１３】
図７で示されるように、”Video1”である項目の右側には、画像信号を入力するための入力端子２１−１乃至入力端子２１−ｎまたは入力端子２５−１乃至入力端子２５−ｍのいずれかのうち、”Video1”である項目に対応付けられているものの名前を示す”Video1:Component”、および音声信号を入力するための入力端子２９−１乃至入力端子２９−ｐまたは入力端子３３−１乃至入力端子３３−ｑのいずれかのうち、”Video1”である項目に対応付けられているものの名前を示す”Video1:OPT”が表示される。
【０１１４】
また、”Video2”である項目の右側には、画像信号を入力するための入力端子２１−１乃至入力端子２１−ｎまたは入力端子２５−１乃至入力端子２５−ｍのいずれかのうち、”Video2”である項目に対応付けられているものの名前を示す”Video2:S”、および音声信号を入力するための入力端子２９−１乃至入力端子２９−ｐまたは入力端子３３−１乃至入力端子３３−ｑのいずれかのうち、”Video2”である項目に対応付けられているものの名前を示す”Video2:OPT”が表示される。
【０１１５】
さらに、”Video3”である項目の右側には、画像信号を入力するための入力端子２１−１乃至入力端子２１−ｎまたは入力端子２５−１乃至入力端子２５−ｍのいずれかのうち、”Video3”である項目に対応付けられているものの名前を示す”Video3:S”、および音声信号を入力するための入力端子２９−１乃至入力端子２９−ｐまたは入力端子３３−１乃至入力端子３３−ｑのいずれかのうち、”Video3”である項目に対応付けられているものの名前を示す”Video3:OPT”が表示される。
【０１１６】
さらにまた、”DVD”である項目の右側には、画像信号を入力するための入力端子２１−１乃至入力端子２１−ｎまたは入力端子２５−１乃至入力端子２５−ｍのいずれかのうち、”DVD”である項目に対応付けられているものの名前を示す”DVD:Component”、および音声信号を入力するための入力端子２９−１乃至入力端子２９−ｐまたは入力端子３３−１乃至入力端子３３−ｑのいずれかのうち、”DVD”である項目に対応付けられているものの名前を示す”DVD:COAX”が表示される。
【０１１７】
図７で示される”Video1”である項目にフォーカスされている状態で、リモートコントローラ６７の下向きの矢印のキー９２が３回押圧されると、図５の上側から３番目の状態に対応する図８で示されるように、”Video1”である項目の３つ下の項目である、”DVD”である項目がフォーカスされる。
【０１１８】
この場合、選択されている入力切り替えの項目の右側に、フォーカスされている”DVD”である項目が隣接して配置されるように、入力名としての項目がスクロールされる。
【０１１９】
図８で示される”DVD”である項目がフォーカスされている状態で、リモートコントローラ６７のセレクトキーであるキー９５が押圧されると、”DVD”である項目が選択されるので、入力端子２１−１乃至入力端子２１−ｎまたは入力端子２５−１乃至入力端子２５−ｍのいずれかから入力されている画像信号のうち、”DVD:Component”の名前が付けられた、”DVD”である項目に対応付けられている入力端子から入力されている画像信号が選択されるとともに、入力端子２９−１乃至入力端子２９−ｐまたは入力端子３３−１乃至入力端子３３−ｑのいずれかから入力されている音声信号のうち、”DVD:COAX”の名前が付けられた、”DVD”である項目に対応付けられている入力端子から入力されている音声信号が選択されて、図５の上側から４番目の状態に示されるように、選択された画像信号に応じた画像がモニタに表示され、選択された音声信号に応じた音声がスピーカから出力される。
【０１２０】
すなわち、選択制御部１０２は、セレクタ２２、セレクタ２４、セレクタ２６、セレクタ３０、セレクタ３２、およびセレクタ３４に、入力端子２１−１乃至入力端子２１−ｎまたは入力端子２５−１乃至入力端子２５−ｍのいずれかから入力されている画像信号のうち、”DVD:Component”の名前が付けられた、”DVD”である項目に対応付けられている入力端子から入力されている画像信号を選択させるとともに、入力端子２９−１乃至入力端子２９−ｐまたは入力端子３３−１乃至入力端子３３−ｑのいずれかから入力されている音声信号のうち、”DVD:COAX”の名前が付けられた、”DVD”である項目に対応付けられている入力端子から入力されている音声信号を選択させる。
【０１２１】
この場合、例えば、図９で示されるように、”DVD”である項目が選択されてから５秒間、モニタには、選択された画像信号に応じた画像と共に、選択された”DVD”である項目、すなわち、選択された入力名などを示すヘッダおよびフッタが表示される。
【０１２２】
”DVD”である項目が選択されてから５秒間以上経過すると、図５の下側の状態に示されるように、ヘッダおよびフッタは消される。
【０１２３】
このように、簡単に、入力を切り替えることができる。
【０１２４】
次に、図１０乃至図１８を参照して、入力名と、画像信号を入力するための入力端子２１−１乃至入力端子２１−ｎまたは入力端子２５−１乃至入力端子２５−ｍのいずれかと、音声信号を入力するための入力端子２９−１乃至入力端子２９−ｐまたは入力端子３３−１乃至入力端子３３−ｑのいずれかとの対応付けの設定、すなわち入力名と入力端子との対応付けの処理を説明する。
【０１２５】
図１０は、入力名と入力端子との対応付けの処理のためのGUIの画像の遷移を説明する図である。入力名と入力端子との対応付けの処理のためのGUIの画像は、上述のInputAssign画面に対応する。
【０１２６】
図１０の左上側の状態において、図１１で示されるように、入力切り替えの項目がフォーカスされている。
【０１２７】
入力切り替えの項目がフォーカスされている状態で、リモートコントローラ６７の右向きの矢印のキー９４が押圧されるか、またはセレクトキーであるキー９５が押圧されると、入力切り替えの項目が選択されるので、図１１で示されるGUIの画像から、図１０の左の上側から２番目の状態に対応する図１２で示されるGUIの画像に、表示が切り替えられる。
【０１２８】
図１２で示されるように、画面の左側には、最上位の階層の項目のうち、選択された項目である入力切り替えの項目だけが表示され、その右側には、最上位の階層の１つ下の階層の項目のうち、入力切り替えの項目の子供である、使用者によって選択される入力の単位を示す入力名が表示され、入力名のさらに右側には、入力名に対応付けられている入力端子の名前が表示される。
【０１２９】
例えば、入力名のうち”DVD”である項目がフォーカスされている状態で、リモートコントローラ６７の、オプションのメニューの表示を指示するためのキー９６が押圧されると、図１０の左側の上から３番目の状態に対応する図１３で示されるように、オプションのメニューが表示される。この場合のオプションのメニューには、Input Assignと記載されている項目である、入力名と入力端子との対応付けのための項目、Name Inputと記載されている項目である、入力名の編集のための項目などが配置される。
【０１３０】
図１３で示されるように、オプションのメニューの項目のうち、入力名と入力端子との対応付けのための項目がフォーカスされている状態で、リモートコントローラ６７のセレクトキーであるキー９５が押圧されると、図１３で示されるGUIの画像から、図１０の右の上側の状態に対応する図１４で示される、”DVD”である項目の入力名と入力端子との対応付けのためのGUIの画像に表示が切り替えられる。
【０１３１】
”DVD”である項目の入力名と入力端子との対応付けのためのGUIの画像において、その上側には、入力名と入力端子との対応付けの対象となるその入力名を示す”Input Assign:DVD”の文字が表示される。
【０１３２】
”DVD”である項目についての入力名と入力端子との対応付けのためのGUIの画像において、その左側には、縦に１列に、入力名とともに表示されるアイコンを選択するための項目が配置される。また、アイコンを選択するための項目の右側には、入力名に対応付けられる、画像信号を入力するための入力端子２１−１乃至入力端子２１−ｎまたは入力端子２５−１乃至入力端子２５−ｍのいずれかを選択するための項目が縦に１列に配置される。
【０１３３】
さらに、入力名に対応付けられる、画像信号を入力するための入力端子２１−１乃至入力端子２１−ｎまたは入力端子２５−１乃至入力端子２５−ｍのいずれかを選択するための項目の右側には、すなわち、”DVD”である項目の入力名と入力端子との対応付けのためのGUIの画像の右側には、入力名に対応付けられる、音声信号を入力するための入力端子２９−１乃至入力端子２９−ｐまたは入力端子３３−１乃至入力端子３３−ｑのいずれかを選択するための項目が縦に１列に配置される。
【０１３４】
入力名とともに表示されるアイコンを選択するための項目のそれぞれには、項目のいずれか１つの選択を示す丸が配置されている。白丸は、選択されていないことを示し、黒丸は、選択されていることを示す。
【０１３５】
入力名と入力端子との対応付けのためのGUIの画像に表示が切り替えられた場合、使用者が現在選択されているアイコンを知ることができるようにするため、そのアイコンを選択するための項目の丸が黒丸とされる。また、入力名と入力端子との対応付けのためのGUIの画像に表示が切り替えられた場合、入力名とともに表示されるアイコンを選択するための項目のうち、現在選択されているアイコンを選択するための項目がフォーカスされる。
【０１３６】
図１４の例の場合、光ディスクの形を模したアイコンが、”DVD”である項目の入力名とともに表示されるアイコンとして現在選択されているので、光ディスクの形を模したアイコンを選択するための項目の丸が黒丸とされる。
【０１３７】
また、入力名と入力端子との対応付けのためのGUIの画像に表示が切り替えられた場合、光ディスクの形を模したアイコンを選択するための項目がフォーカスされる。
【０１３８】
また、入力名に対応付けられる、画像信号を入力するための入力端子２１−１乃至入力端子２１−ｎまたは入力端子２５−１乃至入力端子２５−ｍのいずれかを選択するための項目のそれぞれには、項目のいずれか１つの選択を示す丸が配置されている。白丸は、選択されていないことを示し、黒丸は、選択されていることを示す。
【０１３９】
入力名と入力端子との対応付けのためのGUIの画像に表示が切り替えられた場合、使用者が入力名に現在対応付けされている、画像信号を入力するための入力端子を知ることができるようにするため、その入力端子を選択するための項目の丸が黒丸とされる。
【０１４０】
図１４の例の場合、入力端子２１−１乃至入力端子２１−ｎまたは入力端子２５−１乃至入力端子２５−ｍのうち、”DVD:Component”である名前のものが、”DVD”である項目の入力名に対応付けられているので、”DVD:Component”である名前の入力端子を選択するための項目の丸が黒丸とされる。
【０１４１】
さらに、入力名に対応付けられる、音声信号を入力するための入力端子２９−１乃至入力端子２９−ｐまたは入力端子３３−１乃至入力端子３３−ｑのいずれかを選択するための項目のそれぞれには、項目のいずれか１つの選択を示す丸が配置されている。白丸は、選択されていないことを示し、黒丸は、選択されていることを示す。
【０１４２】
入力名と入力端子との対応付けのためのGUIの画像に表示が切り替えられた場合、使用者が入力名に現在対応付けされている、音声信号を入力するための入力端子を知ることができるようにするため、その入力端子を選択するための項目の丸が黒丸とされる。
【０１４３】
図１４の例の場合、入力端子２９−１乃至入力端子２９−ｐまたは入力端子３３−１乃至入力端子３３−ｑのうち、”DVD:COAX”である名前のものが、”DVD”である項目の入力名に対応付けられているので、”DVD:COAX”である名前の入力端子を選択するための項目の丸が黒丸とされる。
【０１４４】
光ディスクの形を模したアイコンを選択するための項目がフォーカスされている状態から、例えば、リモートコントローラ６７の上向きの矢印のキー９１が４回押圧されると、光ディスクの形を模したアイコンを選択するための項目の４つ上の項目である、図１０の右側の上から２番目の状態に対応する図１５で示されるように、横長の四角を３つ重ねた形を模したアイコンを選択するための項目がフォーカスされる。
【０１４５】
さらに、横長の四角を３つ重ねた形を模したアイコンを選択するための項目がフォーカスされている状態で、リモートコントローラ６７のセレクトキーであるキー９５が押圧されると、横長の四角を３つ重ねた形を模したアイコンを選択するための項目が選択されることで、入力名とともに表示されるアイコンとして、横長の四角を３つ重ねた形を模したアイコンが選択される。
【０１４６】
さらに、リモートコントローラ６７の右向きの矢印のキー９４が押圧されると、入力名に対応付けられる、画像信号を入力するための入力端子２１−１乃至入力端子２１−ｎまたは入力端子２５−１乃至入力端子２５−ｍのいずれかを選択するための項目がフォーカスされる。より具体的には、”DVD:Component”である名前の入力端子が現在入力名に対応付けされているので、”DVD:Component”である名前の入力端子を選択するための項目がフォーカスされる。
【０１４７】
”DVD:Component”である名前の入力端子を選択するための項目がフォーカスされている状態から、例えば、リモートコントローラ６７の下向きの矢印のキー９２が３回押圧されると、図１０の右側の上から３番目の状態に対応する図１６で示されるように、”DVD:Component”である名前の入力端子を選択するための項目の３つ下の項目である、”HDMI1”である名前の入力端子を選択するための項目がフォーカスされる。
【０１４８】
”HDMI1”である名前の入力端子を選択するための項目がフォーカスされている状態で、リモートコントローラ６７のセレクトキーであるキー９５が押圧されると、”HDMI1”である名前の入力端子を選択するための項目が選択されることで、画像信号を入力するための入力端子２１−１乃至入力端子２１−ｎまたは入力端子２５−１乃至入力端子２５−ｍのうちの、”HDMI1”である名前の入力端子が”DVD”である入力名に対応付けされる。
【０１４９】
さらにまた、リモートコントローラ６７の右向きの矢印のキー９４が押圧されると、入力名に対応付けられる、音声信号を入力するための入力端子２９−１乃至入力端子２９−ｐまたは入力端子３３−１乃至入力端子３３−ｑのいずれかを選択するための項目がフォーカスされる。より具体的には、”DVD:COAX”である名前の入力端子が現在入力名に対応付けされているので、”DVD:COAX”である名前の入力端子を選択するための項目がフォーカスされる。
【０１５０】
”DVD:COAX”である名前の入力端子を選択するための項目がフォーカスされている状態から、例えば、リモートコントローラ６７の下向きの矢印のキー９２が５回押圧されると、図１０の右側の上から４番目の状態に対応する図１７で示されるように、”DVD:COAX”である名前の入力端子を選択するための項目の３つ下の項目である、”MD/DAT:OPT”である名前の入力端子を選択するための項目がフォーカスされる。
【０１５１】
”MD/DAT:OPT”である名前の入力端子を選択するための項目がフォーカスされている状態で、リモートコントローラ６７のセレクトキーであるキー９５が押圧されると、”MD/DAT:OPT”である名前の入力端子を選択するための項目が選択されることで、音声信号を入力するための入力端子２９−１乃至入力端子２９−ｐまたは入力端子３３−１乃至入力端子３３−ｑのうちの、”MD/DAT:OPT”である名前の入力端子が”DVD”である入力名に対応付けされる。
【０１５２】
リモートコントローラ６７のリターンキーであるキー９７が押圧されると、図１０の右側の上から５番目の状態に対応する図１８で示されるGUIの画像に、表示が切り替えられる。図１８で示されるように、画面の左側には、最上位の階層の項目のうち、選択された項目である入力切り替えの項目だけが表示され、その右側には、使用者によって選択される入力の単位を示す入力名であって”DVD”である項目が、横長の四角を３つ重ねた形を模したアイコンとともに表示され、入力名のさらに右側には、入力名に対応付けられている、画像信号を入力する入力端子の”HDMI1”である名前が表示される。”HDMI1”である名前のさらに右側には、入力名に対応付けられている、音声信号を入力する入力端子の”MD/DAT:OPT”である名前が表示される。
【０１５３】
すなわち、対応付け設定部１０３は、”DVD”である表示名に、横長の四角を３つ重ねた形を模したアイコンと、画像信号を入力する入力端子のうち、”HDMI1”である名前の入力端子と、音声信号を入力する入力端子のうち、”MD/DAT:OPT”である名前の入力端子とを対応付ける。
【０１５４】
このように、簡単に、入力名と、画像信号を入力するための入力端子２１−１乃至入力端子２１−ｎまたは入力端子２５−１乃至入力端子２５−ｍのいずれかと、音声信号を入力するための入力端子２９−１乃至入力端子２９−ｐまたは入力端子３３−１乃至入力端子３３−ｑのいずれかとを対応付けすることができる。
【０１５５】
なお、図１９に示されるように、入力名のそれぞれに、対応付けできる入力端子は予め決められている。
【０１５６】
例えば、”VIDEO 1”である入力名には、画像信号を入力するための入力端子として、”VIDEO 1”である名前のコンポジット信号を入力するためのピンジャックである入力端子か、”VIDEO 1”である名前のS端子である入力端子か、”VIDEO 1”である名前のコンポーネント信号を入力するためのピンジャックである入力端子か、”DVD”である名前のコンポーネント信号を入力するためのピンジャックである入力端子か、”TV/SAT”である名前のコンポーネント信号を入力するためのピンジャックである入力端子か、”HDMI1”である名前のHDMI端子である入力端子か、”HDMI2”である名前のHDMI端子である入力端子かのいずれかが対応付けられる。
【０１５７】
また、”VIDEO 1”である入力名には、音声信号を入力するための入力端子として、”VIDEO 1”である名前のアナログ信号を入力するためのピンジャックである入力端子か、”VIDEO 1”である名前の光ケーブルを接続するためのレセプタクルである入力端子か、”VIDEO 1”である名前の同軸ケーブルを接続するためのレセプタクルである入力端子かのいずれかが対応付けられる。
【０１５８】
なお、画像信号を入力するための入力端子として、HDMI端子である入力端子が入力名に対応付けられた場合、HDMI端子には、画像信号と共に音声信号が入力されるので、入力名への、音声信号を入力するための入力端子の対応付けを省略することができる。
【０１５９】
”VIDEO 2”である入力名には、画像信号を入力するための入力端子として、”VIDEO 2”である名前のコンポジット信号を入力するためのピンジャックである入力端子か、”VIDEO 2”である名前のS端子である入力端子か、”DVD”である名前のコンポーネント信号を入力するためのピンジャックである入力端子か、”TV/SAT”である名前のコンポーネント信号を入力するためのピンジャックである入力端子か、”HDMI1”である名前のHDMI端子である入力端子か、”HDMI2”である名前のHDMI端子である入力端子かのいずれかが対応付けられる。
【０１６０】
また、”VIDEO 2”である入力名には、音声信号を入力するための入力端子として、”VIDEO 2”である名前のアナログ信号を入力するためのピンジャックである入力端子か、”VIDEO 1”である名前の光ケーブルを接続するためのレセプタクルである入力端子か、”VIDEO 1”である名前の同軸ケーブルを接続するためのレセプタクルである入力端子か、”VIDEO 5”である名前の光ケーブルを接続するためのレセプタクルである入力端子か、”DVD”である名前の光ケーブルを接続するためのレセプタクルである入力端子か、”DVD”である名前の同軸ケーブルを接続するためのレセプタクルである入力端子か、”LD”である名前の光ケーブルを接続するためのレセプタクルである入力端子か、”LD”である名前の同軸ケーブルを接続するためのレセプタクルである入力端子か、”TV/SAT”である名前の光ケーブルを接続するためのレセプタクルである入力端子か、”TV/SAT”である名前の同軸ケーブルを接続するためのレセプタクルである入力端子か、”MD/DAT”である名前の光ケーブルを接続するためのレセプタクルである入力端子か、”CD/SA-CD”である名前の光ケーブルを接続するためのレセプタクルである入力端子か、”CD/SA-CD”である名前の同軸ケーブルを接続するためのレセプタクルである入力端子かのいずれかが対応付けられる。
【０１６１】
”VIDEO 3”である入力名には、画像信号を入力するための入力端子として、”VIDEO 3”である名前のコンポジット信号を入力するためのピンジャックである入力端子か、”VIDEO 3”である名前のS端子である入力端子か、”DVD”である名前のコンポーネント信号を入力するためのピンジャックである入力端子か、”TV/SAT”である名前のコンポーネント信号を入力するためのピンジャックである入力端子か、”HDMI1”である名前のHDMI端子である入力端子か、”HDMI2”である名前のHDMI端子である入力端子かのいずれかが対応付けられる。
【０１６２】
また、”VIDEO 3”である入力名には、音声信号を入力するための入力端子として、”VIDEO 3”である名前のアナログ信号を入力するためのピンジャックである入力端子か、”VIDEO 1”である名前の光ケーブルを接続するためのレセプタクルである入力端子か、”VIDEO 1”である名前の同軸ケーブルを接続するためのレセプタクルである入力端子か、”VIDEO 5”である名前の光ケーブルを接続するためのレセプタクルである入力端子か、”DVD”である名前の光ケーブルを接続するためのレセプタクルである入力端子か、”DVD”である名前の同軸ケーブルを接続するためのレセプタクルである入力端子か、”LD”である名前の光ケーブルを接続するためのレセプタクルである入力端子か、”LD”である名前の同軸ケーブルを接続するためのレセプタクルである入力端子か、”TV/SAT”である名前の光ケーブルを接続するためのレセプタクルである入力端子か、”TV/SAT”である名前の同軸ケーブルを接続するためのレセプタクルである入力端子か、”MD/DAT”である名前の光ケーブルを接続するためのレセプタクルである入力端子か、”CD/SA-CD”である名前の光ケーブルを接続するためのレセプタクルである入力端子か、”CD/SA-CD”である名前の同軸ケーブルを接続するためのレセプタクルである入力端子かのいずれかが対応付けられる。
【０１６３】
”VIDEO 4”である入力名には、画像信号を入力するための入力端子として、”VIDEO 4”である名前のコンポジット信号を入力するためのピンジャックである入力端子か、”VIDEO 4”である名前のS端子である入力端子か、”DVD”である名前のコンポーネント信号を入力するためのピンジャックである入力端子か、”TV/SAT”である名前のコンポーネント信号を入力するためのピンジャックである入力端子か、”HDMI1”である名前のHDMI端子である入力端子か、”HDMI2”である名前のHDMI端子である入力端子かのいずれかが対応付けられる。
【０１６４】
また、”VIDEO 4”である入力名には、音声信号を入力するための入力端子として、”VIDEO 4”である名前のアナログ信号を入力するためのピンジャックである入力端子か、”VIDEO 1”である名前の光ケーブルを接続するためのレセプタクルである入力端子か、”VIDEO 1”である名前の同軸ケーブルを接続するためのレセプタクルである入力端子か、”VIDEO 5”である名前の光ケーブルを接続するためのレセプタクルである入力端子か、”DVD”である名前の光ケーブルを接続するためのレセプタクルである入力端子か、”DVD”である名前の同軸ケーブルを接続するためのレセプタクルである入力端子か、”LD”である名前の光ケーブルを接続するためのレセプタクルである入力端子か、”LD”である名前の同軸ケーブルを接続するためのレセプタクルである入力端子か、”TV/SAT”である名前の光ケーブルを接続するためのレセプタクルである入力端子か、”TV/SAT”である名前の同軸ケーブルを接続するためのレセプタクルである入力端子か、”MD/DAT”である名前の光ケーブルを接続するためのレセプタクルである入力端子か、”CD/SA-CD”である名前の光ケーブルを接続するためのレセプタクルである入力端子か、”CD/SA-CD”である名前の同軸ケーブルを接続するためのレセプタクルである入力端子かのいずれかが対応付けられる。
【０１６５】
”VIDEO 5”である入力名には、画像信号を入力するための入力端子として、”VIDEO 5”である名前のコンポジット信号を入力するためのピンジャックである入力端子か、”VIDEO 5”である名前のS端子である入力端子か、”DVD”である名前のコンポーネント信号を入力するためのピンジャックである入力端子か、”TV/SAT”である名前のコンポーネント信号を入力するためのピンジャックである入力端子か、”HDMI1”である名前のHDMI端子である入力端子か、”HDMI2”である名前のHDMI端子である入力端子かのいずれかが対応付けられる。
【０１６６】
また、”VIDEO 5”である入力名には、音声信号を入力するための入力端子として、”VIDEO 5”である名前のアナログ信号を入力するためのピンジャックである入力端子か、”VIDEO 5”である名前の光ケーブルを接続するためのレセプタクルである入力端子かのいずれかが対応付けられる。
【０１６７】
”DVD”である入力名には、画像信号を入力するための入力端子として、”DVD”である名前のコンポーネント信号を入力するためのピンジャックである入力端子か、”TV/SAT”である名前のコンポーネント信号を入力するためのピンジャックである入力端子か、”HDMI1”である名前のHDMI端子である入力端子か、”HDMI2”である名前のHDMI端子である入力端子かのいずれかが対応付けられる。
【０１６８】
また、”DVD”である入力名には、音声信号を入力するための入力端子として、”DVD”である名前のアナログ信号を入力するためのピンジャックである入力端子か、”DVD”である名前の光ケーブルを接続するためのレセプタクルである入力端子か、”DVD”である名前の同軸ケーブルを接続するためのレセプタクルである入力端子かのいずれかが対応付けられる。
【０１６９】
”LD”である入力名には、画像信号を入力するための入力端子として、”LD”である名前のコンポジット信号を入力するためのピンジャックである入力端子か、”LD”である名前のS端子である入力端子か、”DVD”である名前のコンポーネント信号を入力するためのピンジャックである入力端子か、”TV/SAT”である名前のコンポーネント信号を入力するためのピンジャックである入力端子か、”HDMI1”である名前のHDMI端子である入力端子か、”HDMI2”である名前のHDMI端子である入力端子かのいずれかが対応付けられる。
【０１７０】
また、”LD”である入力名には、音声信号を入力するための入力端子として、”LD”である名前のアナログ信号を入力するためのピンジャックである入力端子か、”LD”である名前の光ケーブルを接続するためのレセプタクルである入力端子かのいずれかが対応付けられる。
【０１７１】
”TV/SAT”である入力名には、画像信号を入力するための入力端子として、”TV/SAT”である名前のコンポジット信号を入力するためのピンジャックである入力端子か、”TV/SAT”である名前のS端子である入力端子か、”TV/SAT”である名前のコンポーネント信号を入力するためのピンジャックである入力端子か、”HDMI2”である名前のHDMI端子である入力端子かのいずれかが対応付けられる。
【０１７２】
また、”TV/SAT”である入力名には、音声信号を入力するための入力端子として、”TV/SAT”である名前のアナログ信号を入力するためのピンジャックである入力端子か、”TV/SAT”である名前の光ケーブルを接続するためのレセプタクルである入力端子か、”TV/SAT”である名前の同軸ケーブルを接続するためのレセプタクルである入力端子かのいずれかが対応付けられる。
【０１７３】
”CD/SA-CD”である入力名には、画像信号を入力するための入力端子として、どの端子も対応付けられないか、または”DVD”である名前のコンポーネント信号を入力するためのピンジャックである入力端子か、”TV/SAT”である名前のコンポーネント信号を入力するためのピンジャックである入力端子か、”HDMI1”である名前のHDMI端子である入力端子か、”HDMI2”である名前のHDMI端子である入力端子かのいずれかが対応付けられる。
【０１７４】
また、”CD/SA-CD”である入力名には、音声信号を入力するための入力端子として、”CD/SA-CD”である名前のアナログ信号を入力するためのピンジャックである入力端子か、”CD/SA-CD”である名前の光ケーブルを接続するためのレセプタクルである入力端子かのいずれかが対応付けられる。
【０１７５】
”MD/DAT”である入力名には、画像信号を入力するための入力端子として、どの端子も対応付けられないか、または”DVD”である名前のコンポーネント信号を入力するためのピンジャックである入力端子か、”TV/SAT”である名前のコンポーネント信号を入力するためのピンジャックである入力端子か、”HDMI1”である名前のHDMI端子である入力端子か、”HDMI2”である名前のHDMI端子である入力端子かのいずれかが対応付けられる。
【０１７６】
また、”MD/DAT”である入力名には、音声信号を入力するための入力端子として、”MD/DAT”である名前のアナログ信号を入力するためのピンジャックである入力端子か、”MD/DAT”である名前の光ケーブルを接続するためのレセプタクルである入力端子かのいずれかが対応付けられる。
【０１７７】
”TAPE”である入力名には、画像信号を入力するための入力端子として、どの端子も対応付けられないか、または”DVD”である名前のコンポーネント信号を入力するためのピンジャックである入力端子か、”TV/SAT”である名前のコンポーネント信号を入力するためのピンジャックである入力端子か、”HDMI1”である名前のHDMI端子である入力端子か、”HDMI2”である名前のHDMI端子である入力端子かのいずれかが対応付けられる。
【０１７８】
また、”TAPE”である入力名には、音声信号を入力するための入力端子として、”TAPE”である名前のアナログ信号を入力するためのピンジャックである入力端子か、”VIDEO 1”である名前の光ケーブルを接続するためのレセプタクルである入力端子か、”VIDEO 1”である名前の同軸ケーブルを接続するためのレセプタクルである入力端子か、”VIDEO 5”である名前の光ケーブルを接続するためのレセプタクルである入力端子か、”DVD”である名前の光ケーブルを接続するためのレセプタクルである入力端子か、”DVD”である名前の同軸ケーブルを接続するためのレセプタクルである入力端子か、”LD”である名前の光ケーブルを接続するためのレセプタクルである入力端子か、”LD”である名前の同軸ケーブルを接続するためのレセプタクルである入力端子か、”TV/SAT”である名前の光ケーブルを接続するためのレセプタクルである入力端子か、”TV/SAT”である名前の同軸ケーブルを接続するためのレセプタクルである入力端子か、”MD/DAT”である名前の光ケーブルを接続するためのレセプタクルである入力端子か、”CD/SA-CD”である名前の光ケーブルを接続するためのレセプタクルである入力端子か、”CD/SA-CD”である名前の同軸ケーブルを接続するためのレセプタクルである入力端子かのいずれかが対応付けられる。
【０１７９】
”TUNER”である入力名には、画像信号を入力するための入力端子として、どの端子も対応付けられない。また、”TUNER”である入力名には、音声信号を入力するための入力端子として、”TUNER PACK”である名前のアナログ信号を入力するためのピンジャックである入力端子か、”VIDEO 1”である名前の光ケーブルを接続するためのレセプタクルである入力端子か、”VIDEO 1”である名前の同軸ケーブルを接続するためのレセプタクルである入力端子か、”VIDEO 5”である名前の光ケーブルを接続するためのレセプタクルである入力端子か、”DVD”である名前の光ケーブルを接続するためのレセプタクルである入力端子か、”DVD”である名前の同軸ケーブルを接続するためのレセプタクルである入力端子か、”LD”である名前の光ケーブルを接続するためのレセプタクルである入力端子か、”LD”である名前の同軸ケーブルを接続するためのレセプタクルである入力端子か、”TV/SAT”である名前の光ケーブルを接続するためのレセプタクルである入力端子か、”TV/SAT”である名前の同軸ケーブルを接続するためのレセプタクルである入力端子か、”MD/DAT”である名前の光ケーブルを接続するためのレセプタクルである入力端子か、”CD/SA-CD”である名前の光ケーブルを接続するためのレセプタクルである入力端子か、”CD/SA-CD”である名前の同軸ケーブルを接続するためのレセプタクルである入力端子かのいずれかが対応付けられる。
【０１８０】
また、図２０で示されるように、入力名のそれぞれに、対応付けできる入力端子を予め決めるようにしてもよい。
【０１８１】
例えば、”VIDEO 1”である入力名には、画像信号を入力するための入力端子として、”VIDEO 1”である名前のコンポジット信号を入力するためのピンジャックである入力端子か、”VIDEO 1”である名前のS端子である入力端子か、”VIDEO 1”である名前のコンポーネント信号を入力するためのピンジャックである入力端子か、”HDMI1”である名前のHDMI端子である入力端子か、”HDMI2”である名前のHDMI端子である入力端子か、”HDMI3”である名前のHDMI端子である入力端子かのいずれかが対応付けられる。
【０１８２】
また、”VIDEO 1”である入力名には、音声信号を入力するための入力端子として、”VIDEO 1”である名前の光ケーブルを接続するためのレセプタクルである入力端子か、”DVD”である名前の同軸ケーブルを接続するためのレセプタクルである入力端子か、”TAPE/CD-R”である名前の同軸ケーブルを接続するためのレセプタクルである入力端子か、”SA-CD/CD”である名前の同軸ケーブルを接続するためのレセプタクルである入力端子かのいずれかが対応付けられる。
【０１８３】
”VIDEO 2”である入力名には、画像信号を入力するための入力端子として、”VIDEO 1”である名前のコンポーネント信号を入力するためのピンジャックである入力端子か、”VIDEO 2”である名前のコンポジット信号を入力するためのピンジャックである入力端子か、”VIDEO 2”である名前のS端子である入力端子か、”DVD”である名前のコンポーネント信号を入力するためのピンジャックである入力端子か、”TV/SAT”である名前のコンポーネント信号を入力するためのピンジャックである入力端子か、”HDMI1”である名前のHDMI端子である入力端子か、”HDMI2”である名前のHDMI端子である入力端子か、”HDMI3”である名前のHDMI端子である入力端子かのいずれかが対応付けられる。
【０１８４】
また、”VIDEO 2”である入力名には、音声信号を入力するための入力端子として、音声信号を入力するための入力端子として、”VIDEO2”である名前の光ケーブルを接続するためのレセプタクルである入力端子か、”DVD”である名前の同軸ケーブルを接続するためのレセプタクルである入力端子か、”TAPE/CD-R”である名前の同軸ケーブルを接続するためのレセプタクルである入力端子か、”SA-CD/CD”である名前の同軸ケーブルを接続するためのレセプタクルである入力端子かのいずれかが対応付けられる。
【０１８５】
”VIDEO 3”である入力名には、画像信号を入力するための入力端子として、”VIDEO 1”である名前のコンポーネント信号を入力するためのピンジャックである入力端子か、”VIDEO3”である名前のコンポジット信号を入力するためのピンジャックである入力端子か、”VIDEO3”である名前のS端子である入力端子か、”DVD”である名前のコンポーネント信号を入力するためのピンジャックである入力端子か、”TV/SAT”である名前のコンポーネント信号を入力するためのピンジャックである入力端子か、”HDMI1”である名前のHDMI端子である入力端子か、”HDMI2”である名前のHDMI端子である入力端子か、”HDMI3”である名前のHDMI端子である入力端子かのいずれかが対応付けられる。
【０１８６】
また、”VIDEO3”である入力名には、音声信号を入力するための入力端子として、音声信号を入力するための入力端子として、”VIDEO3”である名前の光ケーブルを接続するためのレセプタクルである入力端子か、”DVD”である名前の同軸ケーブルを接続するためのレセプタクルである入力端子か、”TAPE/CD-R”である名前の同軸ケーブルを接続するためのレセプタクルである入力端子か、”SA-CD/CD”である名前の同軸ケーブルを接続するためのレセプタクルである入力端子かのいずれかが対応付けられる。
【０１８７】
”DVD”である入力名には、画像信号を入力するための入力端子として、”DVD”である名前のコンポジット信号を入力するためのピンジャックである入力端子か、”DVD”である名前のS端子である入力端子か、”DVD”である名前のコンポーネント信号を入力するためのピンジャックである入力端子か、”HDMI1”である名前のHDMI端子である入力端子か、”HDMI2”である名前のHDMI端子である入力端子か、”HDMI3”である名前のHDMI端子である入力端子かのいずれかが対応付けられる。
【０１８８】
また、”DVD”である入力名には、音声信号を入力するための入力端子として、”TV/SAT”である名前の光ケーブルを接続するためのレセプタクルである入力端子か、”DVD”である名前の同軸ケーブルを接続するためのレセプタクルである入力端子か、”TAPE/CD-R”である名前の同軸ケーブルを接続するためのレセプタクルである入力端子か、”SA-CD/CD”である名前の同軸ケーブルを接続するためのレセプタクルである入力端子かのいずれかが対応付けられる。
【０１８９】
”TV/SAT”である入力名には、画像信号を入力するための入力端子として、”TV/SAT”である名前のコンポジット信号を入力するためのピンジャックである入力端子か、”TV/SAT”である名前のS端子である入力端子か、”TV/SAT”である名前のコンポーネント信号を入力するためのピンジャックである入力端子か、”HDMI1”である名前のHDMI端子である入力端子か、”HDMI2”である名前のHDMI端子である入力端子か、”HDMI3”である名前のHDMI端子である入力端子かのいずれかが対応付けられる。
【０１９０】
また、”TV/SAT”である入力名には、音声信号を入力するための入力端子として、”MD/DAT”である名前の光ケーブルを接続するためのレセプタクルである入力端子か、”DVD”である名前の同軸ケーブルを接続するためのレセプタクルである入力端子か、”TAPE/CD-R”である名前の同軸ケーブルを接続するためのレセプタクルである入力端子か、”SA-CD/CD”である名前の同軸ケーブルを接続するためのレセプタクルである入力端子かのいずれかが対応付けられる。
【０１９１】
”TAPE/CD-R”である入力名には、画像信号を入力するための入力端子として、”Video1”である名前のコンポーネント信号を入力するためのピンジャックである入力端子か、”DVD”である名前のコンポーネント信号を入力するためのピンジャックである入力端子か、”DVD”である名前のコンポジット信号を入力するためのピンジャックである入力端子か、”HDMI1”である名前のHDMI端子である入力端子か、”HDMI2”である名前のHDMI端子である入力端子か、”HDMI3”である名前のHDMI端子である入力端子かのいずれかが対応付けられる。
【０１９２】
また、”TAPE/CD-R”である入力名には、音声信号を入力するための入力端子として、”Video1”である名前の光ケーブルを接続するためのレセプタクルである入力端子か、”Video2”である名前の光ケーブルを接続するためのレセプタクルである入力端子か、”Video3”である名前の光ケーブルを接続するためのレセプタクルである入力端子か、”TV/SAT”である名前の光ケーブルを接続するためのレセプタクルである入力端子か、”MD/DAT”である名前の光ケーブルを接続するためのレセプタクルである入力端子か、”DVD”である名前の同軸ケーブルを接続するためのレセプタクルである入力端子かのいずれかが対応付けられる。
【０１９３】
”MD/DAT”である入力名には、画像信号を入力するための入力端子として、”Video1”である名前のコンポーネント信号を入力するためのピンジャックである入力端子か、”DVD”である名前のコンポーネント信号を入力するためのピンジャックである入力端子か、”DVD”である名前のコンポジット信号を入力するためのピンジャックである入力端子か、”HDMI1”である名前のHDMI端子である入力端子か、”HDMI2”である名前のHDMI端子である入力端子か、”HDMI3”である名前のHDMI端子である入力端子かのいずれかが対応付けられる。
【０１９４】
また、”MD/DAT”である入力名には、音声信号を入力するための入力端子として、”Video1”である名前の光ケーブルを接続するためのレセプタクルである入力端子か、”Video2”である名前の光ケーブルを接続するためのレセプタクルである入力端子か、”Video3”である名前の光ケーブルを接続するためのレセプタクルである入力端子か、”TV/SAT”である名前の光ケーブルを接続するためのレセプタクルである入力端子か、”MD/DAT”である名前の光ケーブルを接続するためのレセプタクルである入力端子か、”TAPE/CD-R”である名前の同軸ケーブルを接続するためのレセプタクルである入力端子かのいずれかが対応付けられる。
【０１９５】
”SA-CD/CD”である入力名には、画像信号を入力するための入力端子として、”Video1”である名前のコンポーネント信号を入力するためのピンジャックである入力端子か、”DVD”である名前のコンポーネント信号を入力するためのピンジャックである入力端子か、”DVD”である名前のコンポジット信号を入力するためのピンジャックである入力端子か、”HDMI1”である名前のHDMI端子である入力端子か、”HDMI2”である名前のHDMI端子である入力端子か、”HDMI3”である名前のHDMI端子である入力端子かのいずれかが対応付けられる。
【０１９６】
また、”SA-CD/CD”である入力名には、音声信号を入力するための入力端子として、”Video1”である名前の光ケーブルを接続するためのレセプタクルである入力端子か、”Video2”である名前の光ケーブルを接続するためのレセプタクルである入力端子か、”Video3”である名前の光ケーブルを接続するためのレセプタクルである入力端子か、”TV/SAT”である名前の光ケーブルを接続するためのレセプタクルである入力端子か、”MD/DAT”である名前の光ケーブルを接続するためのレセプタクルである入力端子か、”SA-CD/CD”である名前の同軸ケーブルを接続するためのレセプタクルである入力端子かのいずれかが対応付けられる。
【０１９７】
次に、図２１乃至図２５を参照して、入力名の編集の処理を説明する。
【０１９８】
図２１は、入力名の編集の処理のためのGUIの画像の遷移を説明する図である。入力名の編集の処理のためのGUIの画像は、上述のNameInput画面に対応する。
【０１９９】
図２１の左上側の状態において、入力切り替えの項目がフォーカスされている。
【０２００】
入力切り替えの項目がフォーカスされている状態で、リモートコントローラ６７の右向きの矢印のキー９４が押圧されるか、またはセレクトキーであるキー９５が押圧されると、入力切り替えの項目が選択されるので、図２１の左の上側から２番目の状態に遷移し、画面の左側には、最上位の階層の項目のうち、選択された項目である入力切り替えの項目だけが表示され、その右側には、最上位の階層の１つ下の階層の項目のうち、入力切り替えの項目の子供である、使用者によって選択される入力の単位を示す入力名が表示され、入力名のさらに右側には、入力名に対応付けられている入力端子の名前が表示される。
【０２０１】
例えば、”DVD”である項目がフォーカスされている状態で、リモートコントローラ６７の、オプションのメニューの表示を指示するためのキー９６が押圧されると、図２１の左側の上から３番目の状態に遷移し、オプションのメニューが表示される。この場合のオプションのメニューには、入力名と入力端子との対応付けのための項目、入力名の編集のための項目などが配置される。オプションのメニューが表示された場合、オプションのメニューの項目のうち、入力名と入力端子との対応付けのための項目がフォーカスされている。
【０２０２】
この状態から、リモートコントローラ６７の下向きの矢印のキー９２が押圧されると、図２１の左側の上から４番目の状態に対応する図２２で示される、”Name Input”と名前が付された入力名の編集のための項目がフォーカスされる。
【０２０３】
図１３で示されるように、オプションのメニューの項目のうち、入力名の編集のための項目がフォーカスされている状態で、リモートコントローラ６７のセレクトキーであるキー９５が押圧されると、図２２で示されるGUIの画像から、図２１の右の上側の状態に対応する図２３で示される、”DVD”である項目についての入力名を編集するためのGUIの画像に表示が切り替えられる。
【０２０４】
入力名を編集するためのGUIの画像には、文字を入力するためのいわゆるソフトウェアキーボードおよびソフトウェアキーボードにより入力名を入力するためのフィールドが配置されている。リモートコントローラ６７のキー９１乃至キー９５のいずれかが順に押圧されることでソフトウェアキーボードのキー、例えば、”S”のキー、”E”のキー、”N”のキー、および”Y”のキーが、それぞれ順にフォーカスされて、順に選択されると、図２１の右の上から２番目の状態に対応する図２４に示されるように、入力名を入力するためのフィールドに”SENY”が設定される。すなわち、入力名編集部１０４は、”DVD”から”SENY”に変更するように、入力名を編集する。
【０２０５】
この状態で、GUIの画像上の”Finish”と名前の付されたボタンがフォーカスされて、リモートコントローラ６７のセレクトキーであるキー９５が押圧されると、図２１の右の上から３番目の状態に対応する図２５で示されるように、”DVD”であった入力名が”SENY”に変更される。すなわち、入力名編集部１０４は、”SENY”である入力名を設定する。
【０２０６】
このように、容易に、入力名を編集し、変更することができる。
【０２０７】
次に、図２６を参照して、入力の選択の処理を説明する。ステップＳ１１において、表示制御部１０１は、使用者によって選択される入力の単位を示す入力名と、画像信号を入力する入力端子のうち、入力名に関係付けられている入力端子の名前と、音声信号を入力する入力端子のうち、入力名に関係付けられている入力端子の名前とを対応付けて表示する。
【０２０８】
ステップＳ１２において、表示制御部１０１は、入力名が選択されたか否かを判定し、入力名が選択されたと判定されるまで、判定の処理を繰り返す。
【０２０９】
ステップＳ１２において、入力名が選択されたと判定された場合、ステップＳ１３に進み、選択制御部１０２は、選択された入力名に対応付けられている入力端子からの画像信号と音声信号とを選択するように、セレクタ２２、セレクタ２４、セレクタ２６、セレクタ３０、セレクタ３２、およびセレクタ３４を制御して、処理は終了する。
【０２１０】
次に、図２７のフローチャートを参照して、対応付けの設定の処理について説明する。ステップＳ３１において、表示制御部１０１は、使用者によって選択される入力の単位を示す入力名と、画像信号を入力する入力端子のうち、入力名に関係付けられている入力端子の名前と、音声信号を入力する入力端子のうち、入力名に関係付けられている入力端子の名前とを対応付けて表示する。
【０２１１】
ステップＳ３２において、表示制御部１０１は、リモートコントローラ６７のオプションキーであるキー９６が押圧されて、インプットアサインの項目、すなわち、入力名と入力端子との対応付けのための項目が選択されたか否か判定し、リモートコントローラ６７のオプションキーであるキー９６が押圧されて、入力名と入力端子との対応付けのための項目が選択されるまで、判定の処理を繰り返す。
【０２１２】
ステップＳ３２において、リモートコントローラ６７のオプションキーであるキー９６が押圧されて、入力名と入力端子との対応付けのための項目が選択されたと判定された場合、ステップＳ３３に進み、対応付け設定部１０３は、表示制御部１０１の制御の基に表示されている画像における使用者の操作に応じて、選択されている入力名に対応付けるアイコンを選択する。ステップＳ３４において、対応付け設定部１０３は、表示制御部１０１の制御の基に表示されている画像における使用者の操作に応じて、選択されている入力名に対応付ける、画像信号を入力するための入力端子を選択する。
【０２１３】
ステップＳ３５において、対応付け設定部１０３は、表示制御部１０１の制御の基に表示されている画像における使用者の操作に応じて、選択されている入力名に対応付ける、音声信号を入力するための入力端子を選択する。
【０２１４】
ステップＳ３６において、対応付け設定部１０３は、選択されている入力名への、ステップＳ３３で選択されたアイコンと、ステップＳ３４で選択された画像信号を入力するための入力端子と、ステップＳ３５で選択された音声信号を入力するための入力端子との対応付けを設定して、処理は終了する。例えば、対応付け設定部１０３は、入力名と、アイコンと、入力端子との対応を示すデータを内蔵ROM６３またはフラッシュROM７４などに記憶させることにより、入力名と、アイコンと、入力端子との対応付けを設定する。
【０２１５】
このように、簡単に、入力名に、アイコンと、画像信号を入力するための入力端子と、音声信号を入力するための入力端子とを対応付けることができる。
【０２１６】
図２８は、入力名の編集の処理を説明するフローチャートである。ステップＳ５１において、表示制御部１０１は、使用者によって選択される入力の単位を示す入力名と、画像信号を入力する入力端子のうち、入力名に関係付けられている入力端子の名前である端子名と、音声信号を入力する入力端子のうち、入力名に関係付けられている入力端子の名前である端子名とを対応付けて表示する。
【０２１７】
ステップＳ５２において、表示制御部１０１は、リモートコントローラ６７のオプションキーであるキー９６が押圧されて、ネームインプットの項目、すなわち、入力名の編集のための項目が選択されたか否か判定し、リモートコントローラ６７のオプションキーであるキー９６が押圧されて、入力名の編集のための項目が選択されるまで、判定の処理を繰り返す。
【０２１８】
ステップＳ５２において、リモートコントローラ６７のオプションキーであるキー９６が押圧されて、入力名の編集のための項目が選択されたと判定された場合、ステップＳ５３に進み、入力名編集部１０４は、表示制御部１０１の制御の基に表示されている画像における使用者の操作に応じて、入力名を編集する。
【０２１９】
ステップＳ５４において、入力名編集部１０４は、編集された入力名を設定して、処理は終了する。例えば、入力名編集部１０４は、編集された入力名を示すデータを内蔵ROM６３またはフラッシュROM７４などに記憶させることにより、編集された入力名を設定する。
【０２２０】
このように、アナログ信号、デジタル信号、画像信号、音声信号のそれぞれを入力する入力端子の種別に関わらず、”入力”に音声と画像両方の”端子”を割り当てるという規則性のある動作ですべての入力名の対応付けの設定が可能になる。
【０２２１】
また、各入力名と画像信号を入力するための入力端子および音声信号を入力するための入力端子の対応付けの内容を、通常の使用時に使用者が入力を選択する画面、すなわち、Input選択画面において一覧で表示されるため、以下の効果を期待できる。
【０２２２】
第１に、音声信号を入力するための入力端子の対応付けについては、従来のAVアンプリファイアでは、アナログ信号である音声信号を入力するための入力端子を「使用者がアサインする」ことはできず、「デジタル信号である音声信号を入力するための１または複数の入力端子のいずれもが対応付けられていない場合、自動的にアナログ信号である音声信号を入力するための入力端子が選択される」という使用者にとっては間接的な操作を要求するものであったため、使用者は設定時も視聴時も常に「デジタルかアナログか」「デジタルならどのデジタル端子なのか」を意識しなければならなかった。これに対して、AVアンプリファイア１１においては、デジタル信号である音声信号を入力するための入力端子とアナログ信号である音声信号を入力するための入力端子とをGUIの画面上で並列に表示されるようにしたことにより、入力端子の選択に一貫性を持つことができ、従来の複雑な概念を「提供された端子群からひとつ端子をアサインする」というシンプルな概念に置き換えることができる。
【０２２３】
画像信号を入力するための入力端子の対応付けについては、音声信号を入力する入力端子の項目と異なり「選択しない（＝音声のみの入力にする）」という項目がある。
【０２２４】
従来は「選択中のInputにVideo端子がアサインされていない」という情報を明示していなかったため、この識別には入力名（例えば、CDなど）などを頼りにしなければならなかった。AVアンプリファイア１１においては、入力の選択中に、各入力名に対応付けられている、画像信号を入力するための入力端子の名前と音声信号を入力するための入力端子の名前とが一覧で表示されるので、使用者は、画像信号を入力するための入力端子の対応付けの有り無しを容易に知ることができる。
【０２２５】
入力名を「画像信号を入力するための入力端子と音声信号を入力するための入力端子との組合せのパターン」と直感的に捉えることができるので、入力端子を複数の入力名に重複して対応付けることにより、入力端子の数に比較して入力名の数を擬似的に増やすことが容易にできる。
【０２２６】
従来、音声信号を入力するための限られた数の入力端子を有効に使うために、動的に音声入力を切り替える「Input Mode」という機能があり、使用者はこれによって擬似的に入力選択のパターンを増やしていたが、上述したように、入力端子を複数の入力名に重複して対応付けて、入力端子の数に比較して入力名の数を擬似的に増やすことにより、このような機能は必要なくなり、AVアンプリファイア１１の構成をよりシンプルにすることができる。
【０２２７】
逆に、AVアンプリファイア１１に接続する機器が少なく、少ない数の限られた入力端子のみを入力名に対応付けを希望する使用者に対しては、Input選択画面において表示される入力名の数をより少なくすることによって、入力選択のための操作のステップ数（スクロールの回数やその時間）を必要最小限に抑えることが可能になり、より使いやすい入力選択インタフェースを提供することができる。
【０２２８】
以上のように、従来は、個別のインタフェースで行われていた、入力とアナログ信号またはデジタル信号である音声信号を入力するための入力端子および画像信号を入力するための入力端子との対応付けが、、AVアンプリファイア１１において、１つのインタフェースで実現される。
【０２２９】
通常、使用する場合に、使用者が行う「入力選択」のインタフェースの画面と、従来は、複雑なメニュー構造に組み込まれていた「入力設定」や「入力設定状態の確認」のインタフェース画面が、AVアンプリファイア１１においては、GUI上でシームレスに表示されるので、煩雑なイメージのあるAVアンプリファイアのアサインの設定が、シンプルに、すなわち、分かり易く簡単にできるようになる。
【０２３０】
インタフェースを共通化することにより、制御プログラムの量や表示のためのビットマップのデータの数などGUIリソースを削減することができる。
【０２３１】
このように、メニューを表示するようにした場合には、操作することができる。また、メニューの項目である入力名であって、使用者によって選択される入力の単位を示す入力名に、入力名に対応付けられている第１の端子であって、画像信号を入力するための第１の端子の名前と、入力名に対応付けられている第２の端子であって、音声信号を入力するための第２の端子の名前とを対応付けて表示させるように、メニューの表示を制御し、メニューの項目としての入力名が使用者によってメニューから選択された場合、第１の端子から入力されている画像信号と、第２の端子から入力されている音声信号とを選択するようにした場合には、より少ないリソースで実現することができるとともに、より容易に、またより簡単に入力を選択することができる。
【０２３２】
なお、本発明の一実施の形態としてのAVアンプリファイア１１について説明したが、AVアンプリファイア１１に限らず、本発明は、メニューにより所定の処理を実行する機器に適用することができ、例えば、テレビジョン受像機、ビデオレコーダ、またはオーディオレコーダなどに適用することができる。
【０２３３】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０２３４】
図２９は、上述した一連の処理をプログラムにより実行するパーソナルコンピュータの構成の例を示すブロック図である。CPU（Central Processing Unit）２０１は、ROM（Read Only Memory）２０２、または記憶部２０８に記憶されているプログラムに従って各種の処理を実行する。RAM（Random Access Memory）２０３には、CPU２０１が実行するプログラムやデータなどが適宜記憶される。これらのCPU２０１、ROM２０２、およびRAM２０３は、バス２０４により相互に接続されている。
【０２３５】
CPU２０１にはまた、バス２０４を介して入出力インタフェース２０５が接続されている。入出力インタフェース２０５には、キーボード、マウス、マイクロホンなどよりなる入力部２０６、ディスプレイ、スピーカなどよりなる出力部２０７が接続されている。CPU２０１は、入力部２０６から入力される指令に対応して各種の処理を実行する。そして、CPU２０１は、処理の結果を出力部２０７に出力する。
【０２３６】
入出力インタフェース２０５に接続されている記憶部２０８は、例えばハードディスクからなり、CPU２０１が実行するプログラムや各種のデータを記憶する。通信部２０９は、インターネットやローカルエリアネットワークなどのネットワークを介して外部の装置と通信する。
【０２３７】
また、通信部２０９を介してプログラムを取得し、記憶部２０８に記憶してもよい。
【０２３８】
入出力インタフェース２０５に接続されているドライブ２１０は、磁気ディスク、光ディスク、光磁気ディスク、或いは半導体メモリなどのリムーバブルメディア２１１が装着されたとき、それらを駆動し、そこに記録されているプログラムやデータなどを取得する。取得されたプログラムやデータは、必要に応じて記憶部２０８に転送され、記憶される。
【０２３９】
コンピュータにインストールされ、コンピュータによって実行可能な状態とされるプログラムを格納するプログラム記録媒体は、図２９に示すように、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアであるリムーバブルメディア２１１、または、プログラムが一時的もしくは永続的に格納されるROM２０２や、記憶部２０８を構成するハードディスクなどにより構成される。プログラム記録媒体へのプログラムの格納は、必要に応じてルータ、モデムなどのインタフェースである通信部２０９を介して、ローカルエリアネットワーク、インターネット、デジタル衛星放送といった、有線または無線の通信媒体を利用して行われる。
【０２４０】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２４１】
また、本明細書において、システムとは、複数の装置により構成される装置全体を表すものである。
【０２４２】
なお、本発明の実施の形態は、上述した実施の形態に限定されるものではなく、本発明の要旨を逸脱しない範囲において種々の変更が可能である。
【図面の簡単な説明】
【０２４３】
【図１】従来のAVアンプリファイアにおける入力端子の対応付けの機能を説明する図である。
【図２】本発明の一実施の形態のAVアンプリファイアの構成の一例を示すブロック図である。
【図３】リモートコントローラの外観を示す図である。
【図４】プログラムを実行するメインマイクロコンピュータおよびGUI表示制御マイクロコンピュータにより実現される機能の構成を示すブロック図である。
【図５】入力切り替えのためのGUIの画像の遷移を説明する図である。
【図６】GUIの画像を説明する図である。
【図７】GUIの画像を説明する図である。
【図８】GUIの画像を説明する図である。
【図９】GUIの画像を説明する図である。
【図１０】入力名と入力端子との対応付けの処理のためのGUIの画像の遷移を説明する図である。
【図１１】GUIの画像を説明する図である。
【図１２】GUIの画像を説明する図である。
【図１３】GUIの画像を説明する図である。
【図１４】GUIの画像を説明する図である。
【図１５】GUIの画像を説明する図である。
【図１６】GUIの画像を説明する図である。
【図１７】GUIの画像を説明する図である。
【図１８】GUIの画像を説明する図である。
【図１９】入力名のそれぞれに、対応付けできる入力端子の例を示す図である。
【図２０】入力名のそれぞれに、対応付けできる入力端子の例を示す図である。
【図２１】入力名の編集の処理のためのGUIの画像の遷移を説明する図である。
【図２２】GUIの画像を説明する図である。
【図２３】GUIの画像を説明する図である。
【図２４】GUIの画像を説明する図である。
【図２５】GUIの画像を説明する図である。
【図２６】入力の選択の処理を説明するフローチャートである。
【図２７】対応付けの設定の処理を説明するフローチャートである。
【図２８】入力名の編集の処理を説明するフローチャートである。
【図２９】パーソナルコンピュータの構成の例を示すブロック図である。
【符号の説明】
【０２４４】
２１−１乃至２１−ｎ  入力端子，  ２２  セレクタ，  ２４  セレクタ，  ２５−１乃至２５−ｍ  入力端子，  ２６  セレクタ，  ２７  チューナ，  ２９−１乃至２９−ｐ  入力端子，  ３０  セレクタ，  ３２  セレクタ，  ３３−１乃至３３−ｑ  入力端子，  ３４  セレクタ，  ３６  メインマイクロコンピュータ，  ３７  GUI表示制御マイクロコンピュータ，  ３８  操作入力部，  ３９  表示部，  ４０  媒体，  ４２  外部メモリブロック，  ４３  GUIブロック，  ６１  内蔵ROM，  ６２  内蔵RAM，  ６３  内蔵ROM，  ６４  内蔵RAM，  ６７  リモートコントローラ，  ９１乃至９７  キー，  １０１  表示制御部，  １０２  選択制御部，  １０３  対応付け設定部，  １０４  入力名編集部，  ２０１  ＣＰＵ，  ２０２  ＲＯＭ，  ２０３  ＲＡＭ，  ２０８  記憶部，  ２１１  リムーバブルメディア
【図１】
2008072338.tif 000003
【図２】
2008072338.tif 000004
【図３】
2008072338.tif 000005
【図４】
2008072338.tif 000006
【図５】
2008072338.tif 000007
【図６】
2008072338.tif 000008
【図７】
2008072338.tif 000009
【図８】
2008072338.tif 000010
【図９】
2008072338.tif 000011
【図１０】
2008072338.tif 000012
【図１１】
2008072338.tif 000013
【図１２】
2008072338.tif 000014
【図１３】
2008072338.tif 000015
【図１４】
2008072338.tif 000016
【図１５】
2008072338.tif 000017
【図１６】
2008072338.tif 000018
【図１７】
2008072338.tif 000019
【図１８】
2008072338.tif 000020
【図１９】
2008072338.tif 000021
【図２０】
2008072338.tif 000022
【図２１】
2008072338.tif 000023
【図２２】
2008072338.tif 000024
【図２３】
2008072338.tif 000025
【図２４】
2008072338.tif 000026
【図２５】
2008072338.tif 000027
【図２６】
2008072338.tif 000028
【図２７】
2008072338.tif 000029
【図２８】
2008072338.tif 000030
【図２９】
2008072338.tif 000031
【手続補正書】
【提出日】平成19年11月27日(2007.11.27)
【手続補正１】
【補正対象書類名】特許請求の範囲
【補正対象項目名】全文
【補正方法】変更
【補正の内容】
【特許請求の範囲】
【請求項１】
画像信号および音声信号を処理するAV（Audio Visual）アンプリファイアにおいて、
メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示を制御する表示制御手段と、
前記メニューの項目としての前記入力名が前記使用者によって前記メニューから選択された場合、前記第１の端子から入力されている前記画像信号と、前記第２の端子から入力されている前記音声信号とを選択する選択手段と
を備えるAVアンプリファイア。
【請求項２】
前記表示制御手段は、前記入力名に対応付けられている所定のアイコンを前記入力名に対応付けて表示させるように、前記メニューの表示を制御する
請求項１に記載のAVアンプリファイア。
【請求項３】
前記画像信号を入力するための前記第１の端子と前記音声信号を入力するための前記第２の端子との前記入力名への対応付けを設定する設定手段をさらに備える
請求項１に記載のAVアンプリファイア。
【請求項４】
前記設定手段は、前記入力名へのアイコンの対応付けをさらに設定する
請求項３に記載のAVアンプリファイア。
【請求項５】
前記入力名を編集する編集手段をさらに備える
請求項１に記載のAVアンプリファイア。
【請求項６】
画像信号および音声信号を処理するAVアンプリファイアの、処理の対象となる前記画像信号および前記音声信号を選択する選択方法において、
メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示を制御し、
前記メニューの項目としての前記入力名が前記使用者によって前記メニューから選択された場合、前記第１の端子から入力されている前記画像信号と、前記第２の端子から入力されている前記音声信号とを選択する
ステップを含む選択方法。
【請求項７】
画像信号および音声信号を処理するAVアンプリファイアのコンピュータに、処理の対象となる前記画像信号および前記音声信号の選択を制御する選択制御処理を行わせるプログラムにおいて、
メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示を制御し、
前記メニューの項目としての前記入力名が前記使用者によって前記メニューから選択された場合、前記第１の端子から入力されている前記画像信号と、前記第２の端子から入力されている前記音声信号とを選択するように、前記画像信号および前記音声信号の選択を制御する
ステップを含むプログラム。
【請求項８】
画像信号および音声信号を処理するAVアンプリファイアの、処理の対象となる前記画像信号および前記音声信号の選択を制御する選択制御処理用のプログラムであって、
メニューの項目である入力名であって、使用者によって選択される入力の単位を示す入力名に、前記入力名に対応付けられている第１の端子であって、前記画像信号を入力するための第１の端子の名前と、前記入力名に対応付けられている第２の端子であって、前記音声信号を入力するための第２の端子の名前とを対応付けて表示させるように、前記メニューの表示を制御し、
前記メニューの項目としての前記入力名が前記使用者によって前記メニューから選択された場合、前記第１の端子から入力されている前記画像信号と、前記第２の端子から入力されている前記音声信号とを選択するように、前記画像信号および前記音声信号の選択を制御する
ステップを含むことを特徴とするコンピュータが読み取り可能なプログラムが記録されている記録媒体。
【手続補正２】
【補正対象書類名】明細書
【補正対象項目名】００９２
【補正方法】変更
【補正の内容】
【００９２】
ここで、Input選択画面においてフォーカスされていた入力名について、対応付けることができる、アイコン、画像信号を入力するための入力端子の名前、音声信号を入力するための入力端子の名前が、それぞれリストとして表示される。
【手続補正３】
【補正対象書類名】明細書
【補正対象項目名】００９３
【補正方法】変更
【補正の内容】
【００９３】
使用者は、アイコン、画像信号を入力するための入力端子の名前、および音声信号を入力するための入力端子の名前のリストから、任意の項目を選択できる。これにより、使用者によって選択された、アイコン、画像信号を入力するための入力端子、および画像信号を入力するための入力端子が、Input選択画面においてフォーカスされていた入力名に対応付けられる。
【手続補正４】
【補正対象書類名】明細書
【補正対象項目名】０１０８
【補正方法】変更
【補正の内容】
【０１０８】
図６で示されるように、ピンジャックの形状を模した図形とS端子の形状を模した図形とを組み合わせたアイコンおよびその名前を示す”Video1”の文字からなる、”Video1”である項目が、入力切り替えの項目の右側に表示され、ピンジャックの形状を模した図形とS端子の形状を模した図形とを組み合わせたアイコンおよびその名前を示す”Video2”の文字からなる、”Video2”である項目が、”Video1”である項目の下側に表示される。また、ピンジャックの形状を模した図形とS端子の形状を模した図形とを組み合わせたアイコンおよびその名前を示す”Video3”の文字からなる、”Video3”である項目が、”Video2”である項目の下側に表示され、光ディスクの形状を模したアイコンおよびその名前を示す”DVD”の文字からなる、”DVD”である項目が、”Video3”である項目の下側に表示されている。
【手続補正５】
【補正対象書類名】明細書
【補正対象項目名】０２０３
【補正方法】変更
【補正の内容】
【０２０３】
図２２で示されるように、オプションのメニューの項目のうち、入力名の編集のための項目がフォーカスされている状態で、リモートコントローラ６７のセレクトキーであるキー９５が押圧されると、図２２で示されるGUIの画像から、図２１の右の上側の状態に対応する図２３で示される、”DVD”である項目についての入力名を編集するためのGUIの画像に表示が切り替えられる。
【手続補正６】
【補正対象書類名】図面
【補正対象項目名】図１０
【補正方法】変更
【補正の内容】
【図１０】
2008072338.tif 000032
【手続補正７】
【補正対象書類名】図面
【補正対象項目名】図１４
【補正方法】変更
【補正の内容】
【図１４】
2008072338.tif 000033
【手続補正８】
【補正対象書類名】図面
【補正対象項目名】図１５
【補正方法】変更
【補正の内容】
【図１５】
2008072338.tif 000034
【手続補正９】
【補正対象書類名】図面
【補正対象項目名】図１６
【補正方法】変更
【補正の内容】
【図１６】
2008072338.tif 000035
【手続補正１０】
【補正対象書類名】図面
【補正対象項目名】図１７
【補正方法】変更
【補正の内容】
【図１７】
2008072338.tif 000036
【手続補正１１】
【補正対象書類名】図面
【補正対象項目名】図２１
【補正方法】変更
【補正の内容】
【図２１】
2008072338.tif 000037
【手続補正１２】
【補正対象書類名】図面
【補正対象項目名】図２３
【補正方法】変更
【補正の内容】
【図２３】
2008072338.tif 000038
【手続補正１３】
【補正対象書類名】図面
【補正対象項目名】図２４
【補正方法】変更
【補正の内容】
【図２４】
2008072338.tif 000039